(57)【要約】【課題】常時換気を行いつつ、空調装置の運転時に生じる熱ロスを低減させることができる制御装置を提供する。【解決手段】換気制御装置２１は、空調管理装置２３から供給された空調管理情報に基づいて、少なくとも、第１の排気装置５７及び第１の給気装置５５の何れか１つを制御することで、第１の空間の空気の状態を制御し、少なくとも、第２の排気装置５７及び第２の給気装置５５の何れか１つを制御することで、第２の空間の空気の状態を制御するものであって、排気設備３７の合計排気量と、給気設備３５の合計給気量と、を制御の前後で同一に保たせつつ、第１の排気装置５７、第２の排気装置５７、第１の給気装置５５、及び第２の給気装置５５のうち、少なくとも何れか１つを制御することで、第１の空間と、第２の空間との間で差圧を生じさせ、第１の空間と、第２の空間との間の空気の流れを制御する。【選択図】図２
2015087039.tif 000002
【特許請求の範囲】
【請求項１】
少なくとも、第１の排気装置と、第２の排気装置と、を有する排気設備と、
少なくとも、第１の給気装置と、第２の給気装置と、を有する給気設備と、
少なくとも、第１の空調装置と、第２の空調装置と、を有する空調設備と、
を備えた建物に含まれる、少なくとも、第１の空間及び該第１の空間と連通する第２の空間のそれぞれの空気の状態を、前記排気設備、前記給気設備、又は前記空調設備に、制御させる制御装置であって、
前記排気設備及び前記給気設備のそれぞれを制御する換気制御装置と、
前記空調設備を管理する空調管理装置と、
を備え、
前記第１の空調装置は、
前記第１の空間の前記空気の状態を調和し、該空気の状態に関する情報として空調管理情報を取得し、
前記第２の空調装置は、
前記第２の空間の前記空気の状態を調和し、該空気の状態に関する情報として空調管理情報を取得し、
前記空調管理装置は、
前記空調設備から取得した前記空調管理情報のそれぞれを前記換気制御装置に供給し、
前記換気制御装置は、
前記空調管理装置から供給された前記空調管理情報に基づいて、
少なくとも、前記第１の排気装置及び前記第１の給気装置の何れか１つを制御することで、前記第１の空間の前記空気の状態を制御し、
少なくとも、前記第２の排気装置及び前記第２の給気装置の何れか１つを制御することで、前記第２の空間の前記空気の状態を制御するものであって、
前記排気設備の合計排気量と、前記給気設備の合計給気量と、を制御の前後で同一に保たせつつ、
前記第１の排気装置、前記第２の排気装置、前記第１の給気装置、及び前記第２の給気装置のうち、少なくとも何れか１つを制御することで、前記第１の空間と、前記第２の空間との間で差圧を生じさせ、前記第１の空間と、前記第２の空間との間の前記空気の流れを制御する
ことを特徴とする制御装置。
【請求項２】
前記換気制御装置は、
前記第１の空調装置が稼働し、前記第２の空調装置が停止している場合、前記空気の流れを前記第１の空間から前記第２の空間の方向に制御する
ことを特徴とする請求項１に記載の制御装置。
【請求項３】
前記換気制御装置は、
前記第１の空調装置が冷房運転を行い、前記第２の空調装置が停止している場合、前記空気の流れを前記第１の空間から前記第２の空間の方向に制御する
ことを特徴とする請求項２に記載の制御装置。
【請求項４】
前記換気制御装置は、
前記第１の空調装置が暖房運転を行い、前記第２の空調装置が停止している場合、前記空気の流れを前記第１の空間から前記第２の空間の方向に制御する
ことを特徴とする請求項２に記載の制御装置。
【請求項５】
前記換気制御装置は、
前記第１の空調装置が稼働し、前記第２の空調装置が停止している場合、前記空気の流れを前記第２の空間から前記第１の空間の方向に制御する
ことを特徴とする請求項１に記載の制御装置。
【請求項６】
前記換気制御装置は、
前記第１の空調装置が冷房運転を行い、前記第２の空調装置が停止し、前記第２の空間の室内温度が前記建物の周囲の外気温度と比べて小さい場合、前記空気の流れを前記第２の空間から前記第１の空間の方向に制御する
ことを特徴とする請求項５に記載の制御装置。
【請求項７】
前記換気制御装置は、
前記第１の空調装置が暖房運転を行い、前記第２の空調装置が停止し、前記第２の空間の室内温度が前記建物の周囲の外気温度と比べて大きい場合、前記空気の流れを前記第２の空間から前記第１の空間の方向に制御する
ことを特徴とする請求項５に記載の制御装置。
【請求項８】
前記換気制御装置は、
前記第２の空調装置が稼働し、前記第１の空調装置が停止している場合、前記空気の流れを前記第２の空間から前記第１の空間の方向に制御する
ことを特徴とする請求項１に記載の制御装置。
【請求項９】
前記換気制御装置は、
前記第２の空調装置が冷房運転を行い、前記第１の空調装置が停止している場合、前記空気の流れを前記第２の空間から前記第１の空間の方向に制御する
ことを特徴とする請求項８に記載の制御装置。
【請求項１０】
前記換気制御装置は、
前記第２の空調装置が暖房運転を行い、前記第１の空調装置が停止している場合、前記空気の流れを前記第２の空間から前記第１の空間の方向に制御する
ことを特徴とする請求項８に記載の制御装置。
【請求項１１】
前記換気制御装置は、
前記第２の空調装置が稼働し、前記第１の空調装置が停止している場合、前記空気の流れを前記第１の空間から前記第２の空間の方向に制御する
ことを特徴とする請求項１に記載の制御装置。
【請求項１２】
前記換気制御装置は、
前記第２の空調装置が冷房運転を行い、前記第１の空調装置が停止し、前記第１の空間の室内温度が前記建物の周囲の外気温度と比べて小さい場合、前記空気の流れを前記第１の空間から前記第２の空間の方向に制御する
ことを特徴とする請求項１１に記載の制御装置。
【請求項１３】
前記換気制御装置は、
前記第２の空調装置が暖房運転を行い、前記第１の空調装置が停止し、前記第１の空間の室内温度が前記建物の周囲の外気温度と比べて大きい場合、前記空気の流れを前記第１の空間から前記第２の空間の方向に制御する
ことを特徴とする請求項１１に記載の制御装置。
【請求項１４】
前記換気制御装置は、
前記空気の流れを前記第１の空間から前記第２の空間の方向に制御する場合、
前記第１の空間における給気量から前記第１の空間における排気量を引いたときの差異が正の状態を維持させる第１目標制御量で、前記第１の給気装置及び前記第１の排気装置を制御し、
前記第２の空間における排気量から前記第２の空間における給気量を引いたときの差異が正の状態を維持させる第２目標制御量で、前記第２の排気装置及び前記第２の給気装置を制御する
ことを特徴とする請求項２〜１３の何れか一項に記載の制御装置。
【請求項１５】
前記換気制御装置は、
前記空気の流れを前記第２の空間から前記第１の空間の方向に制御する場合、
前記第１の空間における排気量から前記第１の空間における給気量を引いたときの差異が正の状態を維持させる第３目標制御量で、前記第１の排気装置及び前記第１の給気装置を制御し、
前記第２の空間における給気量から前記第２の空間における排気量を引いたときの差異が正の状態を維持させる第４目標制御量で、前記第２の排気装置及び前記第２の給気装置を制御する
ことを特徴とする請求項２〜１３の何れか一項に記載の制御装置。
【請求項１６】
前記換気制御装置は、
前記空気の流れを前記第１の空間から前記第２の空間の方向に制御する場合、
前記第２の空間における排気量から前記第１の空間における排気量を引いたときの差異が正の状態を維持させる第５目標制御量で、前記第２の排気装置及び前記第１の排気装置を制御し、
前記第１の空間における給気量から前記第２の空間における給気量を引いたときの差異が正の状態を維持させる第６目標制御量で、前記第１の給気装置及び前記第２の給気装置を制御する
ことを特徴とする請求項２〜１３の何れか一項に記載の制御装置。
【請求項１７】
前記換気制御装置は、
前記空気の流れを前記第２の空間から前記第１の空間の方向に制御する場合、
前記第１の空間における排気量から前記第２の空間における排気量を引いたときの差異が正の状態を維持させる第７目標制御量で、前記第１の排気装置及び前記第２の排気装置を制御し、
前記第２の空間における給気量から前記第１の空間における給気量を引いたときの差異が正の状態を維持させる第８目標制御量で、前記第２の給気装置及び前記第１の給気装置を制御する
ことを特徴とする請求項２〜１３の何れか一項に記載の制御装置。
【請求項１８】
前記第１の排気装置は、
第１の排気ファンと、
前記第１の排気ファンを駆動させる第１の排気ファン駆動部と、
を備え、
前記換気制御装置は、
前記第１の排気ファン駆動部を制御し、前記第１の排気ファンの送風量を制御する
ことを特徴とする請求項１〜１７の何れか一項に記載の制御装置。
【請求項１９】
前記第２の排気装置は、
第２の排気ファンと、
前記第２の排気ファンを駆動させる第２の排気ファン駆動部と、
を備え、
前記換気制御装置は、
前記第２の排気ファン駆動部を制御し、前記第２の排気ファンの送風量を制御する
ことを特徴とする請求項１〜１７の何れか一項に記載の制御装置。
【請求項２０】
前記第１の給気装置は、
第１の給気ファンと、
前記第１の給気ファンを駆動させる第１の給気ファン駆動部と、
を備え、
前記換気制御装置は、
前記第１の給気ファン駆動部を制御し、前記第１の給気ファンの送風量を制御する
ことを特徴とする請求項１〜１７の何れか一項に記載の制御装置。
【請求項２１】
前記第２の給気装置は、
第２の給気ファンと、
前記第２の給気ファンを駆動させる第２の給気ファン駆動部と、
を備え、
前記換気制御装置は、
前記第２の給気ファン駆動部を制御し、前記第２の給気ファンの送風量を制御する
ことを特徴とする請求項１〜１７の何れか一項に記載の制御装置。
【請求項２２】
前記第１の空間と、前記第２の空間との間を通風する風路に、前記第１の空間から前記第２の空間に送風する第１の搬送設備をさらに備えた前記建物にある前記第１の空間及び前記第２の空間のそれぞれの前記空気の状態を制御する制御装置であって、
前記第１の搬送設備は、
第１の搬送ファンと、
前記第１の搬送ファンを駆動させる第１の搬送ファン駆動部と、
を備え、
前記換気制御装置は、
前記第１の搬送ファン駆動部を制御し、前記第１の搬送ファンの送風量を制御する
ことを特徴とする請求項１〜２１の何れか一項に記載の制御装置。
【請求項２３】
前記第１の空間と、前記第２の空間との間を通風する風路に、前記第２の空間から前記第１の空間に送風する第２の搬送設備をさらに備えた前記建物にある前記第１の空間及び前記第２の空間のそれぞれの前記空気の状態を制御する制御装置であって、
前記第２の搬送設備は、
第２の搬送ファンと、
前記第２の搬送ファンを駆動させる第２の搬送ファン駆動部と、
を備え、
前記換気制御装置は、
前記第２の搬送ファン駆動部を制御し、前記第２の搬送ファンの送風量を制御する
ことを特徴とする請求項１〜２１の何れか一項に記載の制御装置。
【発明の詳細な説明】
【技術分野】
【０００１】
本発明は、制御装置に関する。
【背景技術】
【０００２】
近年、住宅の高気密高断熱化が進んでいる。よって、住宅のそれぞれの部屋で、必要換気量を適切に確保させる必要がある。したがって、２４時間連続で換気運転を行うような常時換気が高気密高断熱化された住宅に必要とされてきている。
【０００３】
そこで、高気密高断熱化され、常時換気を行う装置が設けられた住宅で、人の在室状況が変動し、ある部屋から別の部屋に人が移動した場合を想定する。このような想定の場合、空調装置が稼働していたことで、人が在室状態だった部屋で蓄えられた冷熱又は温熱は、常時換気に伴う換気運転で外気に放熱されるため、熱ロスが生じる。
【０００４】
具体的には、高気密高断熱化され、常時換気を行う装置が設けられた住宅において、ある一つの部屋から他の一つの部屋へ、つまり、第１の部屋から第２の部屋へといったように、人の移動が認識された場合を想定する。このような想定の場合、従来技術は、移動元の部屋である第１の部屋と、移動先の部屋である第２の部屋との両方の室内温度がほぼ同等になるまで、移動元の第１の部屋の室内空気を移動先の第２の部屋に移動させる運転を行った。この結果、従来技術は、外気への放熱に伴う熱ロスを低減させていた（例えば、特許文献１参照）。
【先行技術文献】
【特許文献】
【０００５】
【特許文献１】特開２００４−２９３８４９号公報（段落［００１５］）
【発明の概要】
【発明が解決しようとする課題】
【０００６】
特許文献１に記載の従来技術は、人が存在している部屋に冷熱又は温熱が蓄えられると想定し、ある部屋における人の存否状態が在室から不在に遷移した場合、人が不在状態になった部屋の冷熱又は温熱を回収させることができるため、熱ロスを低減させることができた。
【０００７】
しかし、特許文献１に記載されたような従来技術は、換気運転で外気に排気されている冷熱又は温熱を回収させるという発想がそもそもなかった。よって、従来技術は、換気運転を行うことで、在室している部屋に蓄えられていく冷熱又は温熱を外気に放熱する。よって、従来技術は、在室中の部屋で、空調装置の運転時に生じる熱ロスを増加させる。したがって、従来技術は、高気密高断熱化され、常時換気を行う装置が設けられた住宅で、省エネを実現することができなかった。
【０００８】
換言すれば、従来技術は、常時換気を行いつつ、空調装置の運転時に生じる熱ロスを低減させることができないという問題点があった。
【０００９】
本発明は、上記のような問題点を解決するためになされたもので、常時換気を行いつつ、空調装置の運転時に生じる熱ロスを低減させることができる制御装置を提供することを目的とするものである。
【課題を解決するための手段】
【００１０】
本発明に係る制御装置は、少なくとも、第１の排気装置と、第２の排気装置と、を有する排気設備と、少なくとも、第１の給気装置と、第２の給気装置と、を有する給気設備と、少なくとも、第１の空調装置と、第２の空調装置と、を有する空調設備と、を備えた建物に含まれる、少なくとも、第１の空間及び該第１の空間と連通する第２の空間のそれぞれの空気の状態を、前記排気設備、前記給気設備、又は前記空調設備に、制御させる制御装置であって、前記排気設備及び前記給気設備のそれぞれを制御する換気制御装置と、前記空調設備を管理する空調管理装置と、を備え、前記第１の空調装置は、前記第１の空間の前記空気の状態を調和し、該空気の状態に関する情報として空調管理情報を取得し、前記第２の空調装置は、前記第２の空間の前記空気の状態を調和し、該空気の状態に関する情報として空調管理情報を取得し、前記空調管理装置は、前記空調設備から取得した前記空調管理情報のそれぞれを前記換気制御装置に供給し、前記換気制御装置は、前記空調管理装置から供給された前記空調管理情報に基づいて、少なくとも、前記第１の排気装置及び前記第１の給気装置の何れか１つを制御することで、前記第１の空間の前記空気の状態を制御し、少なくとも、前記第２の排気装置及び前記第２の給気装置の何れか１つを制御することで、前記第２の空間の前記空気の状態を制御するものであって、前記排気設備の合計排気量と、前記給気設備の合計給気量と、を制御の前後で同一に保たせつつ、前記第１の排気装置、前記第２の排気装置、前記第１の給気装置、及び前記第２の給気装置のうち、少なくとも何れか１つを制御することで、前記第１の空間と、前記第２の空間との間で差圧を生じさせ、前記第１の空間と、前記第２の空間との間の前記空気の流れを制御するものである。
【発明の効果】
【００１１】
本発明は、換気運転時に外気に排気される冷熱又は温熱を回収させることができる。よって、本発明は、常時換気を行いつつ、空調装置の運転時に生じる熱ロスを減少させることができる。したがって、本発明は、常時換気を行いつつ、省エネを実現させることができる制御装置を提供することができるという効果を有する。
【図面の簡単な説明】
【００１２】
【図１】本発明の実施の形態１における換気を利用することで異なる空間に存在する冷熱又は温熱が回収されると共に空気調和が行われる家屋内の抽象的なモデル空間を原理的に説明する図である。
【図２】本発明の実施の形態１における換気制御装置２１及び記憶装置２７を備えている制御装置１１を含む換気空調連携システム１の構成例を示す図である。
【図３】本発明の実施の形態１における室外機８３の構成例を示す図である。
【図４】本発明の実施の形態１における室内機８１の構成例を示す図である。
【図５】本発明の実施の形態１における換気制御装置２１及び記憶装置２７のそれぞれの詳細構成例を示す図である。
【図６】本発明の実施の形態１における家屋２３１のレイアウト構成例、空調設備３３、給気設備３５、及び排気設備３７等の配置構成例を示す図である。
【図７】本発明の実施の形態１における換気制御装置２１のデフォルト設定で換気運転が行われている一例を示す図である。
【図８】本発明の実施の形態１における換気制御装置２１の制御例を説明するフローチャートである。
【図９】本発明の実施の形態１における１階の室内機８１＿２で生成された冷熱が２階へ回収されるときの家屋２３１の排気量及び給気量の一例を示す図である。
【図１０】本発明の実施の形態１における１階の室内機８１＿２で生成された冷熱が２階へ回収されるときの空気の流れの一例を示す図である。
【図１１】本発明の実施の形態２における換気制御装置２１の制御例を説明するフローチャートである。
【図１２】本発明の実施の形態２における２階の室内機８１＿３で生成された冷熱が１階へ回収されるときの家屋２３１の排気量及び給気量の一例を示す図である。
【図１３】本発明の実施の形態２における２階の室内機８１＿３で生成された冷熱が１階へ回収されるときの空気の流れの一例を示す図である。
【図１４】本発明の実施の形態３における換気制御装置２１の制御例を説明するフローチャートである。
【図１５】本発明の実施の形態３における１階の室内機８１＿２で生成される温熱が２階へ回収されるときの家屋２３１の排気量及び給気量の一例を示す図である。
【図１６】本発明の実施の形態３における１階の室内機８１＿２で生成された温熱が２階へ回収されるときの空気の流れの一例を示す図である。
【図１７】本発明の実施の形態４における換気制御装置２１の制御例を説明するフローチャートである。
【図１８】本発明の実施の形態４における２階の室内機８１＿３で生成された温熱が１階へ回収されるときの家屋２３１の排気量及び給気量の一例を示す図である。
【図１９】本発明の実施の形態４における２階の室内機８１＿３で生成された温熱が２階へ回収されるときの空気の流れの一例を示す図である。
【図２０】本発明の実施の形態５における換気制御装置２１及び記憶装置２７のそれぞれの詳細構成例を示す図である。
【図２１】本発明の実施の形態５における換気制御装置２１の制御例を説明するフローチャートである。
【図２２】本発明の実施の形態５における２階に存在する冷熱が特定の条件の場合に稼働中の室内機８１＿２を含む１階へ回収されるときの家屋２３１の排気量及び給気量の一例を示す図である。
【図２３】本発明の実施の形態５における２階に存在する冷熱が特定の条件の場合に稼働中の室内機８１＿２を含む１階へ回収されるときの空気の流れの一例を示す図である。
【図２４】本発明の実施の形態６における換気制御装置２１の制御例を説明するフローチャートである。
【図２５】本発明の実施の形態６における１階に存在する冷熱が特定の条件の場合に稼働中の室内機８１＿３を含む２階へ回収されるときの家屋２３１の排気量及び給気量の一例を示す図である。
【図２６】本発明の実施の形態６における１階に存在する冷熱が特定の条件の場合に稼働中の室内機８１＿３を含む２階へ回収されるときの空気の流れの一例を示す図である。
【図２７】本発明の実施の形態７における換気制御装置２１の制御例を説明するフローチャートである。
【図２８】本発明の実施の形態７における２階に存在する温熱が特定の条件の場合に稼働中の室内機８１＿２を含む１階へ回収されるときの家屋２３１の排気量及び給気量の一例を示す図である。
【図２９】本発明の実施の形態７における２階に存在する温熱が特定の条件の場合に稼働中の室内機８１＿２を含む１階へ回収されるときの空気の流れの一例を示す図である。
【図３０】本発明の実施の形態８における換気制御装置２１の制御例を説明するフローチャートである。
【図３１】本発明の実施の形態８における１階に存在する温熱が特定の条件の場合に稼働中の室内機８１＿３を含む２階へ回収されるときの家屋２３１の排気量及び給気量の一例を示す図である。
【図３２】本発明の実施の形態８における１階に存在する温熱が特定の条件の場合に稼働中の室内機８１＿３を含む２階へ回収されるときの空気の流れの一例を示す図である。
【発明を実施するための形態】
【００１３】
＜各実施の形態の共通事項＞
以下、本発明の実施の形態について、図面を用いて詳細に説明する。なお、本発明の実施の形態の動作を行うプログラムを記述するステップは、記載された順序に沿って時系列に行われる処理であるが、必ずしも時系列に処理されなくても、並列的又は個別に実行される処理をも含んでもよい。
【００１４】
また、本実施の形態で説明される各機能をハードウェアで実現するか、ソフトウェアで実現するかは問わない。つまり、本実施の形態で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１５】
また、本実施の形態で説明されるブロック図の各ブロックは、その機能が実施されればよく、それらの各ブロックで構成が分離されなくてもよい。
【００１６】
また、本実施の形態で説明される各冷媒回路は一例を示し、図示された記載事項に限定されるものではない。
【００１７】
なお、本実施の形態１〜８のそれぞれにおいて、特に記述しない項目については実施の形態１〜８のそれぞれと同様とし、同一の機能及び構成については同一の符号を用いて述べることとする。
【００１８】
また、本実施の形態１〜８は、単独で実施されてもよく、組み合わせて実施されてもよい。いずれの場合においても、下記で説明する有利な効果を奏することとなる。
【００１９】
また、本実施の形態で説明する各種値及びフラグ等の設定例は一例を示すだけであり、特にこれらに限定されない。
【００２０】
実施の形態１．
＜原理の説明＞
図１は、本発明の実施の形態１における換気を利用することで異なる空間に存在する冷熱又は温熱が回収されると共に空気調和が行われる家屋内の抽象的なモデル空間を原理的に説明する図である。
【００２１】
図１に示すように、住宅等における２つの部屋を抽象化したものとして、第１仮想空間及び第２仮想空間を想定する。第１仮想空間は、住宅、高層ビル、スポーツ施設、及び劇場等の建物に設けられた任意の１つの部屋又は１つの空間を想定する。第２仮想空間は、住宅、高層ビル、スポーツ施設、及び劇場等の建物に設けられた任意の部屋又は空間のうち、第１仮想空間とは異なる任意の１つの部屋又は１つの空間を想定する。中継空間は、住宅、高層ビル、スポーツ施設、及び劇場等の建物における任意の空間であって、第１仮想空間と、第２仮想空間とを中継する仮想的な空間と想定する。外部空間は、住宅、高層ビル、スポーツ施設、及び劇場等の建物の周囲の環境を仮想化した空間と想定する。
【００２２】
つまり、第１仮想空間、第２仮想空間、及び中継空間は、住宅、高層ビル、スポーツ施設、及び劇場等の建物の任意の互いに異なる空間に対応すると想定する。また、外部空間は、住宅、高層ビル、スポーツ施設、及び劇場等の建物の周囲の外部環境に対応すると想定する。さらに、第１仮想空間及び第２仮想空間のそれぞれは、２４時間連続で、又は決められた時間帯に、常時換気が行われつつ、任意のタイミングで空気調和が行われると想定する。
【００２３】
また、常時換気と、空気調和とが行われる環境下では、例えば、デフォルト状態、第１状態、及び第２状態の３つの状態の何れかが想定される。デフォルト状態は、第１仮想空間と第２仮想空間との間で空気の移動がない状態を想定する。第１状態は、第１仮想空間から第２仮想空間へ空気を移動させている状態を想定する。第２状態は、第２仮想空間から第１仮想空間へ空気を移動させている状態を想定する。つまり、第１仮想空間と、第２仮想空間と、の間では、任意のタイミングで空気の出入りが行われていると想定する。
【００２４】
次に、デフォルト状態、第１状態、及び第２状態のそれぞれの詳細な想定について説明する。まず、デフォルト状態について説明する。デフォルト状態は、中継空間で空気の移動が無く、第１仮想空間で冷熱又は温熱を含む空気が存在しつつ、排気及び給気で第１仮想空間と外部空間との間で空気の出入りがあり、第２仮想空間で冷熱又は温熱を含む空気が存在しつつ、排気及び給気で第２仮想空間と外部空間との間で空気の出入りがある状態である。
【００２５】
つまり、デフォルト状態は、第１仮想空間は外部空間と換気が行われ、第２仮想空間は外部空間と換気が行われているが、第１仮想空間と、第２仮想空間との間で差圧が無いため、第１仮想空間と、第２仮想空間との間で空気の出入りが無い状態である。なお、デフォルト状態では、第１仮想空間と外部空間との間で排気量及び給気量の均衡は保たれ、第２仮想空間と外部空間との間で排気量及び給気量の均衡は保たれ、排気量の合計量と、給気量の合計量とは、制御の前後で保たれている。
【００２６】
次に、第１状態について説明する。第１状態は、第１仮想空間で冷熱又は温熱を含む空気が存在し、排気及び給気で第１仮想空間と外部空間との間で空気の出入りがあり、中継空間を介して、第１仮想空間から第２仮想空間へ、第１仮想空間に存在する冷熱又は温熱を含む空気が第２仮想空間へ回収され、第２仮想空間に回収された冷熱又は温熱が空気調和で利用されつつ、排気及び給気で第２仮想空間と外部空間との間で空気の出入りがある状態である。
【００２７】
つまり、第１状態は、第１仮想空間は外部空間と換気が行われ、第２仮想空間は外部空間と換気が行われつつ、第１仮想空間と比べ、第２仮想空間の方に負圧が生じている状態である。なお、第１状態では、第１仮想空間と外部空間との間で排気量及び給気量の均衡は破れ、第２仮想空間と外部空間との間で排気量及び給気量の均衡は破れているが、排気量の合計量と、給気量の合計量とは、制御の前後で保たれている。
【００２８】
次に、第２状態について説明する。第２状態は、第２仮想空間で冷熱又は温熱を含む空気が存在し、排気及び給気で第２仮想空間と外部空間との間で空気の出入りがあり、中継空間を介して、第２仮想空間から第１仮想空間へ、第２仮想空間に存在する冷熱又は温熱を含む空気が第１仮想空間へ回収され、第１仮想空間に回収された冷熱又は温熱が空気調和で利用されつつ、排気及び給気で第１仮想空間と外部空間との間で空気の出入りがある状態である。
【００２９】
つまり、第２状態は、第１仮想空間は外部空間と換気が行われ、第２仮想空間は外部空間と換気が行われつつ、第２仮想空間と比べ、第１仮想空間の方に負圧が生じている状態である。なお、第２状態では、第１仮想空間と外部空間との間で排気量及び給気量の均衡は破れ、第２仮想空間と外部空間との間で排気量及び給気量の均衡は破れているが、排気量の合計量と、給気量の合計量とは、制御の前後で保たれている。
【００３０】
以上の想定に基づいて、各種条件に応じた各状態への遷移について説明する。まず、デフォルト状態が維持される条件である第１条件について説明する。第１条件は、第１仮想空間と第２仮想空間との間で差圧が無い状態である。つまり、第１条件は、第１仮想空間と第２仮想空間との間における給気と排気との均衡が保たれることである。
【００３１】
次いで、デフォルト状態から第１状態へ状態が遷移する条件である第２条件について説明する。第２条件は、デフォルト状態であったが、第１仮想空間と第２仮想空間との間で差圧が発生することで、第１仮想空間から第２仮想空間へ空気が流れることである。つまり、第２条件は、デフォルト状態であったが、第１仮想空間と第２仮想空間との間における給気と排気との均衡が破れ、第１仮想空間から第２仮想空間へ空気が流れることである。
【００３２】
次いで、第１状態が維持される条件である第３条件について説明する。第３条件は、第１状態であって、第１仮想空間と第２仮想空間との間で差圧が有り、第１仮想空間から第２仮想空間へ空気が流れることである。つまり、第３条件は、第１状態であって、第１仮想空間と第２仮想空間との間における給気と排気との均衡が破れたままであり、第１仮想空間から第２仮想空間へ空気が流れることである。
【００３３】
次いで、第１状態からデフォルト状態へ状態が遷移する条件である第４条件について説明する。第４条件は、第１状態であったが、第１仮想空間と第２仮想空間との間で差圧が無くなることである。つまり、第４条件は、第１状態であったが、第１仮想空間と第２仮想空間との間で差圧が無くなり、第１仮想空間と第２仮想空間との間における給気と排気との均衡が保たれることである。
【００３４】
次いで、デフォルト状態から第２状態へ状態が遷移する条件である第５条件について説明する。第５条件は、デフォルト状態であったが、第１仮想空間と第２仮想空間との間で差圧が発生し、第２仮想空間から第１仮想空間へ空気が流れることである。つまり、第５条件は、デフォルト状態であったが、第１仮想空間と第２仮想空間との間における給気と排気との均衡が破れ、第２仮想空間から第１仮想空間へ空気が流れることである。
【００３５】
次いで、第２状態が維持される条件である第６条件について説明する。第６条件は、第２状態であって、第１仮想空間と第２仮想空間との間で差圧が有り、第２仮想空間から第１仮想空間へ空気が流れることである。つまり、第６条件は、第２状態であって、第１仮想空間と第２仮想空間との間における給気と排気との均衡が破れたままであり、第２仮想空間から第１仮想空間へ空気が流れることである。
【００３６】
次いで、第２状態からデフォルト状態へ状態が遷移する条件である第７条件について説明する。第７条件は、第２状態であったが、第１仮想空間と第２仮想空間との間で差圧が無くなることである。つまり、第７条件は、第２状態であったが、第１仮想空間と第２仮想空間との間で差圧が無くなり、第１仮想空間と第２仮想空間との間における給気と排気との均衡が保たれることである。
【００３７】
以上の説明から、常時換気を行いつつ、第１仮想空間と、第２仮想空間との間で、空気を出入りさせることで、他空間の冷熱又は温熱を自空間に回収し、自空間の空気調和で利用するには、第１仮想空間と第２仮想空間との間における給気と排気との均衡を破ればよいことになる。
【００３８】
なお、第１仮想空間及び第２仮想空間のそれぞれは、住宅、高層ビル、スポーツ施設、及び劇場等の建物に設けられた任意の１つの部屋又は１つの空間を想定したが、特にこれに限定されず、例えば、新幹線の各車両、船舶、及び飛行機等、すなわち、移動手段等の内部に設けられた任意の１つの部屋又は１つの空間を想定してもよい。次に、上記の原理説明を前提として、具体的な各種事例について説明する。
【００３９】
＜構成の説明＞
図２は、本発明の実施の形態１における換気制御装置２１及び記憶装置２７を備えている制御装置１１を含む換気空調連携システム１の構成例を示す図である。図２に示すように、換気空調連携システム１は、制御装置１１と、換気空調環境２に設けられている各種設備と、を備えている。換気空調連携システム１は、制御装置１１が換気空調環境２に設けられている各種設備を制御することで、換気空調環境２を制御する。
【００４０】
なお、換気空調環境２は、本発明における換気空調空間に相当する。
【００４１】
換気空調環境２には、各種設備として、例えば、搬送設備３１、空調設備３３、給気設備３５、排気設備３７、及び照明設備３９等が設けられている。このうち、例えば、搬送設備３１は換気空調環境２に設けられていなくてもよい。制御装置１１は、例えば、搬送設備３１、空調設備３３、給気設備３５、及び排気設備３７等のそれぞれを連携させることで、換気空調環境２で換気と空気調和とを行う換気空調連携システム１を実現する。
【００４２】
なお、照明設備３９は、各種光源が設けられ、各種光源の光量に応じて換気空調環境２を照らす機器である。また、換気空調環境２には、上記で説明した設備の他に、例えば、ダンパ設備２６１、給気口２６２、及び排気口２６３等を備えていてもよい。ここで、ダンパ設備２６１は、例えば、ダンパ２７１及びダンパ駆動部２７２を備えている。給気口２６２は、例えば、口径を調整する構成が設けられている。排気口２６３は、例えば、口径を調整する構成が設けられている。
【００４３】
搬送設備３１は、例えば、搬送装置５１＿１〜搬送装置５１＿Ｎを備え、換気空調環境２の空気を搬送する。搬送装置５１＿１は、例えば、搬送ファン７１＿１と、搬送ファン駆動部７３＿１と、を備えている。搬送ファン７１＿１は、空気を搬送させる羽根であり、羽根の形状は特に限定されない。搬送ファン駆動部７３＿１は、搬送ファン７１＿１を駆動させる回路等で構成されている。搬送ファン駆動部７３＿１は、例えば、インバータ回路で構成され、搬送ファン７１＿１を任意の周波数で駆動し、搬送ファン７１＿１の回転数を任意に制御する。
【００４４】
なお、搬送装置５１＿２〜搬送装置５１＿Ｎのそれぞれは、搬送装置５１＿１と同一の構成であるため、それらの構成の説明については省略する。また、搬送設備３１は、換気空調環境２の空気を搬送する構成であれば、特にその構成については限定されない。
【００４５】
なお、搬送装置５１＿１〜搬送装置５１＿Ｎのそれぞれを特に区別しない場合、搬送装置５１と称する。また、搬送ファン７１＿１〜搬送ファン７１＿Ｎのそれぞれを特に区別しない場合、搬送ファン７１と称する。また、搬送ファン駆動部７３＿１〜搬送ファン駆動部７３＿Ｎのそれぞれを特に区別しない場合、搬送ファン駆動部７３と称する。
【００４６】
空調設備３３は、例えば、空調装置８０＿１〜空調装置８０＿Ｎを備え、換気空調環境２の空気を調和する。空調装置８０＿１は、例えば、室内機８１＿１と、室外機８３＿１と、を備えている。室内機８１＿１の詳細については、図４を用いて後述する。室外機８３＿１の詳細については、図３を用いて後述する。
【００４７】
なお、空調装置８０＿２〜空調装置８０＿Ｎのそれぞれは、空調装置８０＿１と同一の構成であるため、それらの構成の説明については省略する。また、空調設備３３は、換気空調環境２の空気を調和する構成であれば、特にその構成については限定されない。
【００４８】
なお、空調装置８０＿１〜空調装置８０＿Ｎのそれぞれを特に区別しない場合、空調装置８０と称する。また、室内機８１＿１〜室内機８１＿Ｎのそれぞれを特に区別しない場合、室内機８１と称する。また、室外機８３＿１〜室外機８３＿Ｎのそれぞれを特に区別しない場合、室外機８３と称する。
【００４９】
なお、空調装置８０を構成する室内機８１及び室外機８３は１台ずつに限定されない。空調装置８０は、例えば、複数台の室内機８１と、１台の室外機８３とで構成されてもよい。空調装置８０は、例えば、複数台の室内機８１と、複数台の室外機８３とで構成されてもよい。空調装置８０は、例えば、１台の室内機８１と、複数台の室外機８３とで構成されてもよい。
【００５０】
給気設備３５は、例えば、給気装置５５＿１〜給気装置５５＿Ｎを備え、換気空調環境２の空気を給気する。給気装置５５＿１は、例えば、給気ファン９１＿１と、給気ファン駆動部９３＿１と、を備えている。給気ファン９１＿１は、空気を給気させる羽根であり、羽根の形状は特に限定されない。給気ファン駆動部９３＿１は、給気ファン９１＿１を駆動させる回路等で構成されている。給気ファン駆動部９３＿１は、例えば、インバータ回路で構成され、給気ファン９１＿１を任意の周波数で駆動し、給気ファン９１＿１の回転数を任意に制御する。
【００５１】
なお、給気装置５５＿２〜給気装置５５＿Ｎのそれぞれは、給気装置５５＿１と同一の構成であるため、それらの構成の説明については省略する。また、給気設備３５は、換気空調環境２の空気を給気する構成であれば、特にその構成については限定されない。
【００５２】
なお、給気装置５５＿１〜給気装置５５＿Ｎのそれぞれを特に区別しない場合、給気装置５５と称する。また、給気ファン９１＿１〜給気ファン９１＿Ｎのそれぞれを特に区別しない場合、給気ファン９１と称する。また、給気ファン駆動部９３＿１〜給気ファン駆動部９３＿Ｎのそれぞれを特に区別しない場合、給気ファン駆動部９３と称する。
【００５３】
排気設備３７は、例えば、排気装置５７＿１〜排気装置５７＿Ｎを備え、換気空調環境２の空気を排気する。排気装置５７＿１は、例えば、排気ファン１０１＿１と、排気ファン駆動部１０３＿１と、を備えている。排気ファン１０１＿１は、空気を排気させる羽根であり、羽根の形状は特に限定されない。排気ファン駆動部１０３＿１は、排気ファン１０１＿１を駆動させる回路等で構成されている。排気ファン駆動部１０３＿１は、例えば、インバータ回路で構成され、排気ファン１０１＿１を任意の周波数で駆動し、排気ファン１０１＿１の回転数を任意に制御する。
【００５４】
なお、排気装置５７＿２〜排気装置５７＿Ｎのそれぞれは、排気装置５７＿１と同一の構成であるため、それらの構成の説明については省略する。また、排気設備３７は、換気空調環境２の空気を排気する構成であれば、特にその構成については限定されない。
【００５５】
なお、排気装置５７＿１〜排気装置５７＿Ｎのそれぞれを特に区別しない場合、排気装置５７と称する。また、排気ファン１０１＿１〜排気ファン１０１＿Ｎのそれぞれを特に区別しない場合、排気ファン１０１と称する。また、排気ファン駆動部１０３＿１〜排気ファン駆動部１０３＿Ｎのそれぞれを特に区別しない場合、排気ファン駆動部１０３と称する。
【００５６】
以上、換気空調環境２に設けられる各種設備について説明した。次に、そのような各種設備を制御する制御装置１１について説明する。制御装置１１は、例えば、換気制御装置２１、空調管理装置２３、電力管理装置２５、及び記憶装置２７を備えている。換気制御装置２１は、詳細については後述するが、例えば、搬送設備３１、給気設備３５、及び排気設備３７を制御する。
【００５７】
空調管理装置２３は、空調設備３３から空調管理情報等の各種情報を取得し、空調設備３３を管理する。電力管理装置２５は、例えば、搬送設備３１、空調設備３３、給気設備３５、排気設備３７、及び照明設備３９等の電力を管理する。記憶装置２７は、換気制御装置２１、空調管理装置２３、及び電力管理装置２５が利用する空調管理情報等の各種情報を記憶する。
【００５８】
なお、制御装置１１は、例えば、ＨＥＭＳ（Ｈｏｍｅ  Ｅｎｅｒｇｙ  Ｍａｎａｇｅｍｅｎｔ  Ｓｙｓｔｅｍ）コントローラが想定されるが、特にこれに限定されない。制御装置１１は、例えば、ＢＥＭＳ（Ｂｕｉｌｄｉｎｇ  Ｅｎｅｒｇｙ  Ｍａｎａｇｅｍｅｎｔ  Ｓｙｓｔｅｍ）コントローラであってもよい。制御装置１１は、例えば、ＦＥＭＳ（Ｆａｃｔｏｒｙ  Ｅｎｅｒｇｙ  Ｍａｎａｇｅｍｅｎｔ  Ｓｙｓｔｅｍ）コントローラであってもよい。制御装置１１は、例えば、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）コントローラであってもよい。
【００５９】
制御装置１１は、携帯端末であってもよい。制御装置１１は、ヘッドマウント型端末であってもよい。制御装置１１は、ウェラブル型端末であってもよい。制御装置１１は、電子計算機機能が搭載された腕時計であってもよい。制御装置１１は、電子計算機であってもよい。制御装置１１は、サーバー装置であってもよい。つまり、制御装置１１は、少なくとも、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＣＰＵ（Ｃｅｎｔｒａｌ  Ｐｒｏｃｅｓｓｉｎｇ  Ｕｎｉｔ）を備えた端末であればよい。
【００６０】
なお、制御装置１１は、一つの筐体の中に実装されていなくてもよい。例えば、遠隔地等の互いに離れた箇所に存在する電子計算機機能が搭載された複数の端末同士が、有線接続又は無線接続を介して、有機的に連携することで実現される機能構成であってもよい。つまり、制御装置１１は、計算資源がネットワークを介して利用されるサービスとして実現されるクラウドコンピューティングであってもよい。
【００６１】
次に、上記で説明した空調装置８０を構成する室外機８３及び室内機８１の詳細例について図３及び図４を用いて説明する。図３は、本発明の実施の形態１における室外機８３の構成例を示す図である。図４は、本発明の実施の形態１における室内機８１の構成例を示す図である。図３及び図４に示すように、冷媒配管１１１を介して、室外機８３と、室内機８１と、が接続されている。
【００６２】
室外機８３は、制御基板１２１、圧縮機１６１、四方切換弁１６２、熱交換器１６３、膨張弁１６４、アキュムレーター１６５、及びファン１６６を備えている。制御基板１２１には、例えば、制御モジュール１５１と、伝送モジュール１５３と、が構成されている。
【００６３】
制御モジュール１５１は、室内機８１と連携し、室外機８３を統括制御する。制御モジュール１５１には、温度センサー１４１が接続されている。温度センサー１４１は、室外機８３の周辺の温度を検知する機器である。制御モジュール１５１は、室内外専用伝送線１３１から供給された各種信号等と、温度センサー１４１の検知結果と、に基づいて、圧縮機１６１、四方切換弁１６２、膨張弁１６４、及びファン１６６のそれぞれの駆動を制御する。伝送モジュール１５３は、室内外専用伝送線１３１を介して、各種信号等を送受信する。つまり、制御モジュール１５１は、伝送モジュール１５３を介して、室内機８１と各種信号等を送受信し、室内機８１と連携して稼働する。
【００６４】
圧縮機１６１は、吸入した冷媒を圧縮し、運転周波数に基づいて任意の圧力を加えて吐出する。圧縮機１６１は、例えば、インバータ回路で制御されることで、任意の運転周波数で制御され、単位時間当たりの冷媒の送出量が制御される。四方切換弁１６２は、例えば、冷房運転又は暖房運転に応じて、冷媒配管１１１の経路を切り換える。熱交換器１６３は、冷媒と、空気と、を熱交換する。膨張弁１６４は、制御モジュール１５１の制御信号に基づいて、弁の開度を調整し、冷媒の流量を制御する。アキュムレーター１６５は、液冷媒を貯留し、気相冷媒を圧縮機１６１に吸入させる。ファン１６６は、例えば、熱交換器１６３に空気を送る。
【００６５】
なお、図３において、温度センサー１４１が室外機８３の外部に設けられているように図示されているが、特にこれに限定されない。温度センサー１４１は、室外機８３の周辺の温度が検知されればよい。
【００６６】
室内機８１は、制御基板１２３、膨張弁１６７、熱交換器１６８、及びファン１６９を備えている。制御基板１２３には、例えば、制御モジュール１５５と、伝送モジュール１５７と、が構成されている。
【００６７】
制御モジュール１５５は、室外機８３と連携し、室内機８１を統括制御する。制御モジュール１５５には、湿度センサー１４３及び温度センサー１４５が接続されている。湿度センサー１４３は、換気空調環境２の湿度を検知する。温度センサー１４５は、換気空調環境２の温度を検知する。制御モジュール１５５は、伝送モジュール１５７から供給された各種信号等と、湿度センサー１４３の検知結果と、温度センサー１４５の検知結果と、に基づいて、膨張弁１６７及びファン１６９のそれぞれの駆動を制御する。
【００６８】
なお、図４において、湿度センサー１４３及び温度センサー１４５は、室内機８１の外部に設けられているように図示されているが、特にこれに限定されない。湿度センサー１４３は、換気空調環境２の湿度を検知すればよい。温度センサー１４５は、換気空調環境２の温度を検知すればよい。また、室内機８１は、図示しない人感センサー、照度センサー、及び撮像手段等を備えていてもよい。
【００６９】
熱交換器１６８は、冷媒と、空気と、を熱交換する。膨張弁１６７は、制御モジュール１５５の制御信号に基づいて、弁の開度を調整し、冷媒の流量を制御する。ファン１６９は、例えば、熱交換器１６８に空気を送る。
【００７０】
次に、上記で説明した換気制御装置２１及び記憶装置２７の詳細例について図５を用いて説明する。図５は、本発明の実施の形態１における換気制御装置２１及び記憶装置２７のそれぞれの詳細構成例を示す図である。図５に示すように、換気制御装置２１は、例えば、給気制御モジュール２１１、排気制御モジュール２１３、搬送制御モジュール２１５、換気空間管理モジュール２１７、空調空間管理モジュール２１９、通信モジュール２２１、及び換気統括制御モジュール２２３を備えている。
【００７１】
給気制御モジュール２１１は、給気設備３５を制御する。給気制御モジュール２１１は、例えば、空調設備３３と動作を連携させる場合、給気装置５５＿１〜給気装置５５＿Ｎのうち、空調管理情報に基づいて、該当する給気装置５５を制御する。給気制御モジュール２１１は、例えば、空調設備３３と動作を連携させない場合、給気装置５５＿１〜給気装置５５＿Ｎのそれぞれを、２４時間連続で常時換気をさせたり、予め設定された時間帯で換気をさせたりする。給気制御モジュール２１１は、排気制御モジュール２１３及び換気統括制御モジュール２２３と各種情報を共有してもよい。なお、ここでいう換気とは、給気動作だけであってもよく、排気制御モジュール２１３又は換気統括制御モジュール２２３を介して給気動作及び排気動作の両方が連携してもよい。
【００７２】
排気制御モジュール２１３は、排気設備３７を制御する。排気制御モジュール２１３は、例えば、空調設備３３と動作を連携させる場合、排気装置５７＿１〜排気装置５７＿Ｎのうち、空調管理情報に基づいて、該当する排気装置５７を制御する。排気制御モジュール２１３は、例えば、空調設備３３と動作を連携させない場合、排気装置５７＿１〜排気装置５７＿Ｎのそれぞれを、２４時間連続で常時換気をさせたり、予め設定された時間帯で換気をさせたりする。排気制御モジュール２１３は、給気制御モジュール２１１及び換気統括制御モジュール２２３と各種情報を共有してもよい。なお、ここでいう換気とは、排気動作だけであってもよく、給気制御モジュール２１１又は換気統括制御モジュール２２３を介して排気動作及び給気動作の両方が連携してもよい。
【００７３】
搬送制御モジュール２１５は、搬送設備３１を制御する。搬送制御モジュール２１５は、例えば、搬送装置５１＿１〜搬送装置５１＿Ｎのうち、空調管理情報に基づいて、該当する搬送装置５１を制御する。換気空間管理モジュール２１７は、例えば、換気量データ、給気量データ、搬送量データ、及び室内機稼働状況データ等を搬送設備３１、給気設備３５、及び排気設備３７等から取得して記憶装置２７に記憶させることで、換気空調環境２のうち、換気対象空間に紐付けされている排気量及び給気量等を管理する。
【００７４】
空調空間管理モジュール２１９は、例えば、空調装置８０の運転モード関連データ、換気空調環境２のうち、空調空間に紐付けされている室内温度データ及び室内湿度データ等を空調設備３３等から取得して記憶装置２７に記憶させることで、換気空調環境２のうち、空調対象空間に紐付けされている室内温度及び室内湿度等を管理する。通信モジュール２２１は、換気制御装置２１の通信機能を構成する。
【００７５】
換気統括制御モジュール２２３は、換気制御装置２１を統括制御する。例えば、換気統括制御モジュール２２３は、給気制御モジュール２１１と、排気制御モジュール２１３と、を制御することで、給気設備３５と、排気設備３７と、を連携させる。換気統括制御モジュール２２３は、また、搬送設備３１を制御することで、搬送設備３１と、給気設備３５と、排気設備３７と、を連携させる。
【００７６】
なお、換気統括制御モジュール２２３で統括制御しなくても、給気制御モジュール２１１と、排気制御モジュール２１３と、搬送制御モジュール２１５と、が互いに連携することで、搬送設備３１と、給気設備３５と、排気設備３７と、を互いに連携動作させてもよい。
【００７７】
記憶装置２７には、例えば、換気空間情報格納領域２０１と、空調空間情報格納領域２０３と、が割り当てられている。例えば、換気空間情報格納領域２０１には、換気空調環境２のうち、該当するそれぞれの換気空間に対応する情報が、第１空間データ〜第Ｎ空間データといったような第１空間群データとして格納される。第１空間データには、例えば、換気量データ、給気量データ、搬送量データ、及び室内機稼働状況データ等といったような換気関連データが格納される。なお、換気空間情報格納領域２０１における第２空間群データ〜第Ｎ空間群データのそれぞれの構成は、例えば、第１空間群データと同様である。
【００７８】
また、例えば、空調空間情報格納領域２０３には、換気空調環境２のうち、該当するそれぞれの空調空間に対応する情報が、第１空間データ〜第Ｎ空間データといったような第１空間群データとして格納される。第１空間データには、例えば、運転モード関連データ、室内温度データ、及び室内湿度データ等といったような空調関連データが格納される。なお、空調空間情報格納領域２０３における第２空間群データ〜第Ｎ空間群データのそれぞれの構成は、例えば、第１空間群データと同様である。空調空間情報格納領域２０３には、また、外気温度データが格納される。外気温度データは、上記で説明したように、例えば、室外機８３に設けられている温度センサー１４１の検知結果が格納される。
【００７９】
換気空調環境２が、後述する図６に示すように、例えば、２階建ての家屋２３１であったと想定する。このような想定の場合、換気空間情報格納領域２０１における第１空間群データは、家屋１階２３３に関する換気関連データであり、換気空間情報格納領域２０１における第２空間群データは、家屋２階２３５に関する換気関連データである。また、同様の想定の場合、空調空間情報格納領域２０３における第１空間群データは、家屋１階２３３に関する空調関連データであり、空調空間情報格納領域２０３における第２空間群データは、家屋２階２３５に関する空調関連データである。
【００８０】
それぞれの空間群データを構成する各空間データは、その階に設けられている部屋等の空間に対応するデータである。例えば、第１第１空間データは、居間に関する換気量データであってもよい。例えば、第２空間データは、和室に関する換気量データであってもよい。
【００８１】
次に、上記で説明した換気空調環境２の具体例である家屋２３１を制御装置１１が制御する一例について図６を用いて説明する。図６は、本発明の実施の形態１における家屋２３１のレイアウト構成例、空調設備３３、給気設備３５、及び排気設備３７等の配置構成例を示す図である。ここで、家屋２３１内に存在するそれぞれの部屋及び空間等は、上記で説明した第１仮想空間及び第２仮想空間の具体例である。
【００８２】
図６には、家屋２３１のレイアウト構成例として、ある住宅の間取り図の一例が階ごとに示されている。例えば、家屋２３１は、４ＬＤＫであって、２階建てである。家屋１階２３３には、１階の間取り図として、１階にＬＤＫ、和室、玄関、ホール、浴室、洗面所、便所、階段下収納、及び収納のそれぞれが配置されている。家屋２階２３５には、２階の間取り図として、２階にクローゼット付きの寝室、２つの子供室、便所、洗面所、収納、及び２Ｆホールのそれぞれが配置されている。なお、ここでは、家屋１階２３３を第１の空間と称し、家屋２階２３５を第２の空間と称する。
【００８３】
第１の空間である１階には、給気設備３５として、給気ファン９１＿１１ａ、給気ファン９１＿１１ｂ、給気ファン９１＿１１ｃ、及び給気ファン９１＿１１ｄが設けられ、排気設備３７として、排気ファン１０１＿１１ａ、排気ファン１０１＿１１ｂ、及び排気ファン１０１＿１１ｃが設けられ、空調設備３３として、室内機８１＿１及び室内機８１＿２が設けられている。
【００８４】
第２の空間である２階には、給気設備３５として、給気ファン９１＿２１ａ、給気ファン９１＿２１ｂ、及び給気ファン９１＿２１ｃが設けられ、排気設備３７として、排気ファン１０１＿２１ａ及び排気ファン１０１＿２１ｂが設けられ、空調設備３３として、室内機８１＿３、室内機８１＿４、及び室内機８１＿５が設けられている。
【００８５】
なお、給気ファン９１＿１１ａ〜給気ファン９１＿１１ｄのそれぞれを特に区別しない場合、給気ファン９１＿１１と称する。つまり、給気ファン９１＿１１は、１階に設けられている給気設備３５を称することとなる。また、排気ファン１０１＿１１ａ〜排気ファン１０１＿１１ｃのそれぞれを特に区別しない場合、排気ファン１０１＿１１と称する。つまり、排気ファン１０１＿１１は、１階に設けられている排気設備３７を称することとなる。
【００８６】
また、給気ファン９１＿２１ａ〜給気ファン９１＿２１ｃのそれぞれを特に区別しない場合、給気ファン９１＿２１と称する。つまり、給気ファン９１＿２１は、２階に設けられている給気設備３５を称することとなる。また、排気ファン１０１＿２１ａ及び排気ファン１０１＿２１ｂのそれぞれを特に区別しない場合、排気ファン１０１＿２１と称する。つまり、排気ファン１０１＿２１は、２階に設けられている排気設備３７を称することとなる。
【００８７】
また、給気ファン９１＿１１及び給気ファン９１＿２１のそれぞれを特に区別しない場合、給気ファン９１と称する。つまり、給気ファン９１は、家屋２３１に設けられている給気設備３５を称することとなる。また、排気ファン１０１＿１１及び排気ファン１０１＿２１のそれぞれを特に区別しない場合、排気ファン１０１と称する。つまり、排気ファン１０１は、家屋２３１に設けられている排気設備３７を称することとなる。
【００８８】
給気ファン９１は、外気から換気空調環境２に給気する。例えば、給気ファン９１＿１１ａ及び給気ファン９１＿１１ｂは、外気から１階のリビングダイニングに給気する。給気ファン９１＿１１ｃは、外気から１階の和室に給気する。給気ファン９１＿１１ｄは、外気から１階の台所に給気する。給気ファン９１＿２１ａは、外気から２階の寝室に給気する。給気ファン９１＿２１ｂは、外気から２階の２つの子供室のうちの一方の子供室に給気する。給気ファン９１＿２１ｃは、外気から２階の２つの子供室のうちの他方の子供室に給気する。
【００８９】
排気ファン１０１は、換気空調環境２から外気へ排気する。例えば、排気ファン１０１＿１１ａは、１階の便所から外気へ排気する。排気ファン１０１＿１１ｂは、１階の洗面所から外気へ排気する。排気ファン１０１＿１１ｃは、１階の浴室から外気へ排気する。排気ファン１０１＿２１ａは、２階の便所から外気へ排気する。排気ファン１０１＿２１ｂは、２階の２Ｆホールから外気へ排気する。
【００９０】
また、室内機８１＿１〜室内機８１＿５のそれぞれを特に区別しない場合、室内機８１と称する。室内機８１のそれぞれには、室外機８３が設けられている。よって、室内機８１及び室外機８３は、上記で説明したように、冷凍サイクルが形成され、冷房又は暖房等の空気調和を行う。なお、室内機８１＿１〜室内機８１＿５のそれぞれは、１台の室外機８３に接続されて１台の室外機８３を共有し、室内機８１ごとに冷凍サイクルが形成されていてもよい。
【００９１】
家屋１階２３３と、家屋２階２３５との間には、１階の第１の空間と、２階の第２の空間と、を中継することで、１階と、２階と、を通風する風路としてダクト２５１が構成される。ダクト２５１は、１階側の一端がＬＤＫ及び和室のそれぞれに開口し、２階側の一端が寝室及び２つの子供室のそれぞれに開口し、１階と、２階と、のそれぞれの部屋の間を通風する構造である。なお、ダクト２５１には、搬送設備３１が設けられていてもよいい。
【００９２】
上記で説明したように、搬送設備３１、給気設備３５、及び排気設備３７のそれぞれは、制御装置１１が制御する。制御装置１１は、家屋２３１の内部の何れかの空間に設けられればよい。制御装置１１は、例えば、空調設備３３の運転状況に応じて、搬送設備３１、給気設備３５、又は排気設備３７の運転を制御する。なお、制御装置１１は、図示しない人感センサーの検知結果に基づいて、人の在室状況に応じて、搬送設備３１、給気設備３５、及び排気設備３７を制御してもよい。
【００９３】
次に、制御装置１１のうち、換気制御装置２１の換気制御例について図７〜図１０を用いて説明する。図７は、本発明の実施の形態１における換気制御装置２１のデフォルト設定で換気運転が行われている一例を示す図である。ここで、デフォルト設定とは、１階の第１の空間と、２階の第２の空間と、の間で、差圧が無い状態であって、１階の第１の空間と、２階の第２の空間と、のそれぞれが給気及び排気を行うことで、２４時間連続の常時換気又は予め設定された時間帯の常時換気を行い、１階の第１の空間及び２階の第２の空間の何れにおいても空調装置８０が停止している状態を意味すると想定する。つまり、デフォルト設定では、１階及び２階で空気調和が行われず、１階の第１の空間における給気量と排気量とが同一であり、２階の第２の空間における給気量と排気量とが同一である状態が保たれている換気状態である。
【００９４】
また、換気回数は、１階の第１の空間及び２階の第２の空間のそれぞれにおいて、例えば、０．５回／ｈと想定する。つまり、２時間かけて１回分の換気が行われると想定する。例えば、１階は合計で９０ｍ３／ｈ、２階は合計で６０ｍ３／ｈ、１階と２階とを合わせて住宅全体で合計１５０ｍ３／ｈの換気を行う。つまり、それぞれの階の容積に応じて換気量が決定されていると想定する。
【００９５】
具体的には、１階の送風量のうち、給気ファン９１＿１１ａで２２．５ｍ３／ｈ、給気ファン９１＿１１ｂで２２．５ｍ３／ｈ、給気ファン９１＿１１ｃで２２．５ｍ３／ｈ、及び給気ファン９１＿１１ｄで２２．５ｍ３／ｈとなり、合計で９０ｍ３／ｈの給気が行われる。１階の送風量のうち、排気ファン１０１＿１１ａで３０ｍ３／ｈ、排気ファン１０１＿１１ｂで３０ｍ３／ｈ、及び排気ファン１０１＿１１ｃで３０ｍ３／ｈとなり、合計で９０ｍ３／ｈの排気が行われる。
【００９６】
また、２階の送風量のうち、給気ファン９１＿２１ａで３０ｍ３／ｈ、給気ファン９１＿２１ｂで１５ｍ３／ｈ、及び給気ファン９１＿２１ｃで１５ｍ３／ｈとなり、合計で６０ｍ３／ｈの給気が行われる。２階の送風量のうち、排気ファン１０１＿２１ａで３０ｍ３／ｈ及び排気ファン１０１＿２１ｂで３０ｍ３／ｈとなり、合計で６０ｍ３／ｈの排気が行われる。
【００９７】
よって、１階の給気量と、１階の排気量と、が合致し、２階の給気量と、２階の排気量と、が合致しているため、１階の第１の空間と、２階の第２の空間と、の間では差圧が生じていない。したがって、１階と、２階と、の間で空気の搬送は行われない。つまり、図７に示す各種設定値では、デフォルト設定で換気運転が行われている。なお、上記で説明した各種設定値は一例であって、特にこれらに限定されない。
【００９８】
＜動作の説明＞
＜排気量で制御する場合＞
次に、上記で設定したデフォルト設定で換気運転が行われている状態で、何れかの部屋で空調装置８０が稼働する場合について図８及び図９を用いて説明する。図８は、本発明の実施の形態１における換気制御装置２１の制御例を説明するフローチャートである。図９は、本発明の実施の形態１における１階の室内機８１＿２で生成された冷熱が２階へ回収されるときの家屋２３１の排気量及び給気量の一例を示す図である。
【００９９】
例えば、常時換気中、家屋１階２３３で冷房運転が行われている部屋があることが前提であって、換気制御装置２１が、家屋１階２３３側に存在する冷熱を家屋２階２３５側に移動させる制御を行う。
【０１００】
具体的には、１階のＬＤＫに人が在室している状態であって、室内機８１＿２が稼働することでＬＤＫの空気調和が実施され、他の部屋は人が不在であって、他の部屋では室内機８１が稼働していない場合の換気運転を想定する。
【０１０１】
（ステップＳ１１）
換気制御装置２１は、各階の室内機８１が稼働していないか否かを判定する。換気制御装置２１は、各階の室内機８１が稼働していない場合、ステップＳ１２に進む。一方、換気制御装置２１は、各階の室内機８１が稼働している場合、ステップＳ１３に進む。
【０１０２】
（ステップＳ１２）
換気制御装置２１は、デフォルト設定で換気運転を行う。
【０１０３】
（ステップＳ１３）
換気制御装置２１は、１階で室内機８１が稼働している部屋があるか否かを判定する。換気制御装置２１は、１階で室内機８１が稼働している部屋がある場合、ステップＳ１４に進む。一方、換気制御装置２１は、１階で室内機８１が稼働している部屋がない場合、処理を終了する。
【０１０４】
（ステップＳ１４）
換気制御装置２１は、１階で稼働している室内機８１が冷房運転中であるか否かを判定する。換気制御装置２１は、１階で稼働している室内機８１が冷房運転中である場合、ステップＳ１５に進む。一方、換気制御装置２１は、１階で稼働していない室内機８１が冷房運転中でない場合、処理を終了する。
【０１０５】
（ステップＳ１５）
換気制御装置２１は、２階で室内機８１が稼働している部屋がないか否かを判定する。換気制御装置２１は、２階で室内機８１が稼働している部屋がない場合、ステップＳ１６に進む。一方、換気制御装置２１は、２階で室内機８１が稼働していない部屋がある場合、処理を終了する。
【０１０６】
（ステップＳ１６）
換気制御装置２１は、１階の給排気量を制御する。具体的には、換気制御装置２１は、１階の給排気量の関係について、給気量＞排気量となるような目標制御量で制御する。つまり、換気制御装置２１は、１階の給気量から１階の排気量を差し引いた値が正の値となるような目標制御量を１階の給気装置５５及び１階の排気装置５７のそれぞれに設定する。
【０１０７】
（ステップＳ１７）
換気制御装置２１は、２階の給排気量を制御する。具体的には、換気制御装置２１は、２階の給排気量の関係について、排気量＞給気量となるような目標制御量で制御する。つまり、換気制御装置２１は、２階の排気量から２階の給気量を差し引いた値が正の値となるような目標制御量を２階の排気装置５７及び２階の給気装置５５のそれぞれに設定する。
【０１０８】
（ステップＳ１８）
換気制御装置２１は、住宅全体必要換気量を満たすか否かを判定する。換気制御装置２１は、住宅全体必要換気量を満たす場合、処理を終了する。一方、換気制御装置２１は、住宅全体必要換気量を満たさない場合、ステップＳ１６に戻る。つまり、換気制御装置２１は、家屋１階合計給気量と、家屋２階合計給気量との和が住宅必要換気量を満たしつつ、家屋１階合計排気量と、家屋２階合計排気量との和が住宅必要換気量を満たすように、それぞれの給気量及び排気量を調整する。
【０１０９】
なお、上記で説明した各ステップは一例であって、特にこれらに限定されない。要するに、常時換気中において、１階の第１の空間で室内機８１が冷房運転中であり、２階の第２の空間にある室内機８１が停止状態である場合、換気制御装置２１が１階の第１の空間から２階の第２の空間へと空気の流れを生成することで、１階の第１の空間の冷熱が２階の第２の空間に回収されればよい。
【０１１０】
以上の各動作が実行された結果、図９に示す送風量が設定される。例えば、換気制御装置２１は、１階の排気ファン１０１＿１１の送風量を減少させ、２階の排気ファン１０１＿２１の送風量を増加させる。換気制御装置２１は、１階の給気ファン９１＿１１の送風量をデフォルト設定で運転する。換気制御装置２１は、２階の給気ファン９１＿２１の送風量をデフォルト設定で運転する。換気制御装置２１は、２階の排気ファン１０１＿２１の送風量を増加させる。
【０１１１】
つまり、換気制御装置２１は、家屋１階２３３及び家屋２階２３５の給気量をデフォルト設定とし、家屋１階２３３の排気量を減少させ、家屋２階２３５の排気量を増加させつつ、住宅全体必要換気量を満たさせる。
【０１１２】
具体的には、換気制御装置２１は、排気ファン１０１＿１１ａ〜排気ファン１０１＿１１ｃのそれぞれの送風量を１５ｍ３／ｈとし、家屋１階合計排気量を４５ｍ３／ｈで運転する。換気制御装置２１は、給気ファン９１＿１１ａ〜給気ファン９１＿１１ｄのそれぞれの送風量を２２．５ｍ３／ｈとし、家屋１階合計給気量を９０ｍ３／ｈで運転する。換気制御装置２１は、給気ファン９１＿２１ａの送風量を３０ｍ３／ｈとし、給気ファン９１＿２１ｂ及び給気ファン９１＿２１ｃのそれぞれの送風量を１５ｍ３／ｈとし、家屋２階合計給気量を６０ｍ３／ｈで運転する。換気制御装置２１は、排気ファン１０１＿２１ａ及び排気ファン１０１＿２１ｂのそれぞれの送風量を５２．５ｍ３／ｈとし、家屋２階合計排気量を１０５ｍ３／ｈで運転する。なお、上記で説明した各種設定値は一例であって、特にこれらに限定されない。
【０１１３】
＜効果の説明＞
次に、設定された送風量について、１階における給気量及び排気量の相関関係と、２階における給気量及び排気量の相関関係と、のそれぞれを図１０を用いて説明する。図１０は、本発明の実施の形態１における１階の室内機８１＿２で生成された冷熱が２階に回収されるときの空気の流れの一例を示す図である。図１０に示すように、換気制御装置２１が、給気ファン９１及び排気ファン１０１を制御した場合、１階の第１の空間では、給気量が排気量と比べて大きく、２階の第２の空間では、排気量が給気量と比べて大きい。
【０１１４】
具体的には、家屋１階合計給気量が９０ｍ３／ｈであり、家屋１階合計排気量が４５ｍ３／ｈである。家屋２階合計給気量が６０ｍ３／ｈであり、家屋２階合計排気量が１０５ｍ３／ｈである。よって、１階の第１の空間では、給気量から排気量を引いた値が正となり、２階の第２の空間では、排気量から給気量を引いた値が正となる。つまり、換気制御装置２１は、１階は給気量＞排気量であって、２階は排気量＞給気量となるように、それぞれの目標制御量が定められ、給気設備３５及び排気設備３７が制御されればよい。
【０１１５】
よって、上記の説明から、１階から２階への空気の流れが生じる。ここで、住宅全体必要換気量が１５０ｍ３／ｈであると想定しているため、換気制御装置２１は、家屋合計給気量を１５０ｍ３／ｈに維持し、家屋合計排気量を１５０ｍ３／ｈに維持する。
【０１１６】
さらに具体的には、１階の給気量が１階の排気量に対して４５ｍ３／ｈ多い状態であり、２階の排気量が２階の給気量に対し４５ｍ３／ｈ多い状態であって、換気運転が実施されているため、１階と２階とを連通するダクト２５１を介して、１階から２階に４５ｍ３／ｈの空気が流れる。１階から２階へ空気が流れることで、１階のＬＤＫで空気調和されている空気が２階に搬送される。次いで、２階の寝室及び２つの子供室を通過し、２階の排気ファン１０１＿２１から空気が排気される。なお、上記で説明した各種設定値は一例であって、特にこれらに限定されない。
【０１１７】
換言すれば、１階のＬＤＫの室内機８１＿２が冷房運転を行っていることと想定した場合、１階のＬＤＫの冷気が２階に搬送され、２階の各部屋が冷却される。つまり、１階のＬＤＫの室内機８１＿２が冷房運転を行っていることと想定した場合、１階の第１の空間は冷熱供給側であり、２階の第２の空間は冷熱回収側である。
【０１１８】
なお、上記の説明では、家屋２３１が２階建ての一例について説明したが、特にこれに限定されない。１階建てであってもよく、３階建て以上であってもよい。つまり、２つの空間の間で、冷熱供給側の空間と、冷熱回収側の空間とが想定される構成であればよい。また、上記の説明では、家屋２３１についての一例について説明したが、特にこれに限定されない。例えば、集合住宅、高層ビル、スポーツ施設、及び劇場等の建物に設けられた任意の１つの部屋又は１つの空間と、別の任意の１つの部屋又は別の１つの空間と、の間で、冷熱供給側の空間と、冷熱回収側の空間とが想定される構成であればよい。
【０１１９】
以上のことから、従来、空調装置８０が稼働中に換気運転が実施される場合、空気調和が実施される部屋の空気は、そのまま排気されるため、室内機８１を含む空調装置８０で生成した冷熱が外気に放熱され、熱ロスとなっていたが、実施の形態１では、空気調和が実施される１階のＬＤＫの空気が排気される際、２階の各部屋を通過して排気される。その際、１階のＬＤＫの空気は、２階の各部屋を冷却しながら排気されるため、排気される空気は温度が上がってから外気に放出される。よって、換気制御装置２１は、空調装置８０で生成された冷熱をそのまま外気へ放出するのではなく、一部の冷熱を２階の各部屋に蓄えてから放出する。
【０１２０】
よって、換気制御装置２１は、従来技術と比べ、熱ロスを低減することができ、さらに省エネの換気を実現させることができる。具体的には、２階の各部屋は現状不在であると想定しているため、予め冷却しておけば、２階の各部屋の室内温度が次第に低下する。よって、次に、換気制御装置２１は、２階の各部屋に人の在室が開始され、室内機８１＿３〜室内機８１＿５等を含む空調装置８０を稼働させた場合、室内機８１＿３〜室内機８１＿５のそれぞれが必要とする冷却量を低下させる。したがって、換気制御装置２１は、空調装置８０の運転に必要となる消費電力量を低減させることができるため、空調装置８０を省エネで運用させることができる。
【０１２１】
以上の説明から、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを実現させることができる。
【０１２２】
＜他の応用例＞
＜別の部屋で実施される場合＞
なお、１階のＬＤＫ及び２階の寝室の室内機８１が稼働する場合を想定して説明したが、特にこれらに限定されない。例えば、１階の和室等の他の部屋の室内機８１が稼働する場合においても、換気制御装置２１は同様の制御を行うことで、同様の効果を奏することができる。
【０１２３】
＜別の風量制御の場合＞
なお、換気制御装置２１が、ある空間に対して排気量を減少させる制御と、別の空間に対して排気量を増加させる制御と、を実行することで、１階の第１の空間から２階の第２の空間へ空気の流れを生成させる一例について説明したが、特にこれに限定しない。例えば、換気制御装置２１は、給気装置５５及び排気装置５７のそれぞれの運転特性に応じて、適宜風量調整を行ってもよい。換気制御装置２１は、風量を低減させる場合、回転数を落とすだけでなく、給気装置５５又は排気装置５７を停止し、風量を０に設定してもよい。
【０１２４】
ただし、換気制御装置２１は、１階及び２階の何れか一方の風量を低下させすぎた場合、同一の建物内で予め設定された量の換気量を実施する必要があることから、残りの稼働中の給気装置５５又は排気装置５７の送風量を大きく設定して運転する必要がある。この場合、給気ファン駆動部９３又は排気ファン駆動部１０３の必要送風機動力が過大となるため、設置する給気ファン９１又は排気ファン１０１は、大型化したり、消費電力が過大となったりする場合が生じる。よって、空調設備３３、給気設備３５、及び排気設備３７を全て含めて総合的に省エネとなるような機器が選定された上で運転制御が実施されればよい。
【０１２５】
＜給気量で制御する場合＞
なお、換気制御装置２１が、ある空間に対して給気量を減少させる制御と、別の空間に対して給気量を増加させる制御と、を実行することで、１階の第１の空間から２階の第２の空間へ空気の流れを生成させてもよい。例えば、１階のＬＤＫに人が在室し、室内機８１＿２が稼働し、ＬＤＫの空気調和が実施されている場合を想定する。この場合、１階の給気ファン９１＿１１の送風量を増加させ、２階の給気ファン９１＿２１の送風量を減少させる。換気制御装置２１は、１階の排気ファン１０１＿１１をデフォルト設定で運転させる。換気制御装置２１は、２階の排気ファン１０１＿２１をデフォルト設定で運転させる。
【０１２６】
つまり、換気制御装置２１は、家屋１階２３３及び家屋２階２３５の排気量をデフォルト設定とし、家屋１階２３３の給気量を増加させ、家屋２階２３５の給気量を減少させつつ、住宅全体必要換気量を満たさせる。
【０１２７】
具体的には、換気制御装置２１は、給気ファン９１＿１１ａ〜給気ファン９１＿１１ｄのそれぞれの送風量を３０ｍ３／ｈとし、家屋１階合計給気量を１２０ｍ３／ｈで運転する。換気制御装置２１は、給気ファン９１＿２１ａの送風量を１５ｍ３／ｈとし、給気ファン９１＿２１ｂ及び給気ファン９１＿２１ｃのそれぞれの送風量を７．５ｍ３／ｈとし、家屋２階合計給気量を３０ｍ３／ｈで運転する。換気制御装置２１は、排気ファン１０１＿１１ａ〜排気ファン１０１＿１１ｃのそれぞれの送風量を３０ｍ３／ｈとし、家屋１階合計排気量を９０ｍ３／ｈで運転する。換気制御装置２１は、排気ファン１０１＿２１ａ及び排気ファン１０１＿２１ｂのそれぞれの送風量を３０ｍ３／ｈとし、家屋２階合計排気量を６０ｍ３／ｈで運転する。
【０１２８】
上記で説明したように、換気制御装置２１が、給気ファン９１及び排気ファン１０１を制御した場合、１階の第１の空間では、給気量が排気量と比べて大きく、２階の第２の空間では、排気量が給気量と比べて大きい。つまり、排気量の制御と同様に、給気量の制御であったとしても、１階の第１の空間及び２階の第２の空間のそれぞれにおいて、排気量と、給気量と、の差異を同様に変更できる。
【０１２９】
具体的には、１階の給気量が１階の排気量に対して３０ｍ３／ｈ多い状態であり、２階の排気量が２階の給気量に対し３０ｍ３／ｈ多い状態であって、換気運転が実施されるため、１階と２階とを連通するダクト２５１を介して、１階から２階に３０ｍ３／ｈの空気が流れる。１階から２階へ空気が流れることで、１階のＬＤＫで空気調和されている空気が２階に搬送される。次いで、２階の寝室及び２つの子供室を通過し、２階の排気ファン１０１＿２１から空気が排気される。したがって、同様にして、換気制御装置２１は、空調装置８０の運転に必要となる消費電力量を低減することができるため、空調装置８０を省エネで運用することができる。なお、上記で説明した各種設定値は一例であって、特にこれらに限定されない。
【０１３０】
＜給気口２６２で制御する場合＞
なお、上記の説明では、給気ファン９１＿１１及び給気ファン９１＿２１が用いられる場合について説明したが、給気ファン９１ではなく、給気口２６２を備えてもよい。このような構成の場合、換気制御装置２１は、排気ファン１０１＿１１及び排気ファン１０１＿２１の風量制御で、１階から２階、又は２階から１階への空気の搬送を実現することができる。
【０１３１】
例えば、１階のＬＤＫに人が在室し、室内機８１＿２が稼働し、ＬＤＫの空気調和が実施されている場合を想定する。この場合、換気制御装置２１は、１階の排気ファン１０１＿１１の送風量を低下させ、２階の排気ファン１０１＿２１の送風量を増加させる。具体的には、換気制御装置２１は、排気ファン１０１＿１１ａ〜排気ファン１０１＿１１ｃのそれぞれの送風量を１５ｍ３／ｈとし、家屋１階合計排気量を４５ｍ３／ｈで運転させる。換気制御装置２１は、排気ファン１０１＿２１ａ及び排気ファン１０１＿２１ｂのそれぞれの送風量を５２．５ｍ３／ｈとし、家屋２階合計排気量を１０５ｍ３／ｈで運転させる。
【０１３２】
この場合、２階の排気ファン１０１＿２１の送風量が１階の排気ファン１０１＿１１の送風量と比べて多いため、部屋の静圧は、２階の方が１階と比べて低くなる。よって、１階から２階へのダクト２５１を介した空気の流れが生じる。この結果、１階の室内機８１＿２が冷房運転を実施中である場合、１階のＬＤＫの冷熱は２階に搬送されるため、２階の各部屋が冷却される。よって、２階の各部屋で在室が開始され、在室が開始された部屋に設けられた室内機８１が稼働し始めた場合、稼働し始めた室内機８１の必要冷却量が低減される。
【０１３３】
よって、換気制御装置２１は、稼働し始めた室内機８１の必要冷却量が低減される分だけ、稼働し始めた室内機８１を含む空調装置８０の稼働に必要な消費電力を低減させることができるため、省エネの空調運用を実現することができる。なお、上記で説明した各種設定値は一例であって、特にこれらに限定されない。
【０１３４】
＜排気口２６３で制御する場合＞
なお、上記の説明では、排気ファン１０１＿１１及び排気ファン１０１＿２１が用いられている場合について説明したが、排気ファン１０１ではなく、排気口２６３を備えてもよい。このような構成の場合、換気制御装置２１は、給気ファン９１＿１１及び給気ファン９１＿２１の風量制御で、１階から２階、又は２階から１階への空気の搬送を実現することができる。
【０１３５】
例えば、１階のＬＤＫに人が在室し、室内機８１＿２が稼働し、ＬＤＫの空気調和が実施されている場合を想定する。この場合、換気制御装置２１は、１階の給気ファン９１＿１１の送風量を増加させ、２階の給気ファン９１＿２１の送風量を減少させる。具体的には、換気制御装置２１は、給気ファン９１＿１１ａ〜給気ファン９１＿１１ｄのそれぞれの送風量を３０ｍ３／ｈとし、家屋１階合計給気量を１２０ｍ３／ｈで運転させる。換気制御装置２１は、給気ファン９１＿２１ａの送風量を１５ｍ３／ｈとし、給気ファン９１＿２１ｂ及び給気ファン９１＿２１ｃのそれぞれの送風量を７．５ｍ３／ｈとし、家屋２階合計給気量を３０ｍ３／ｈで運転させる。
【０１３６】
この場合、１階の給気ファン９１＿１１の送風量が２階の給気ファン９１＿２１の送風量と比べて多いため、部屋の静圧は、１階の方が２階と比べて高くなる。よって、１階から２階へのダクト２５１を介した空気の流れが生じる。この結果、１階の室内機８１＿２が冷房運転を実施中である場合、１階のＬＤＫの冷熱は２階に搬送されるため、２階の各部屋が冷却される。
【０１３７】
よって、２階の各部屋で在室が開始され、在室が開始された部屋に設けられた室内機８１が稼働し始めた場合、稼働し始めた室内機８１の必要冷却量が低減される分だけ、稼働し始めた室内機８１を含む空調装置８０の稼働に必要な消費電力を低減させることができるため、省エネの空調運用を実現することができる。なお、上記で説明した各種設定値は一例であって、特にこれらに限定されない。
【０１３８】
＜１つの搬送ファン７１で制御する場合＞
なお、上記の説明では、給気口２６２及び排気口２６３の何れか一方を備える構成について説明した。このような構成の場合、１階から２階へ、又は２階から１階への空気の搬送は、給気ファン９１又は排気ファン１０１の風量制御で生成される部屋間の静圧差に応じて実施される。
【０１３９】
例えば、給気口２６２を利用し、排気ファン１０１で排気を行う場合を想定する。この場合、デフォルト設定で給気量及び排気量が維持されるように、換気制御装置２１は、給気口２６２及び排気ファン１０１を調整する。よって、換気制御装置２１は、１階の排気ファン１０１＿１１で合計９０ｍ３／ｈの排気を行った場合、１階の給気口２６２を９０ｍ３／ｈの給気がされるように口径を調整する。
【０１４０】
ここで、１階から２階への空気の搬送を行うため、上記で説明したように、換気制御装置２１が、１階の合計排気量を４５ｍ３／ｈに低下させ、２階の合計排気量を１０５ｍ３／ｈに増加させた場合には、２階の各部屋は、デフォルト設定と比べ、静圧が低下し、１階の各部屋は、デフォルト設定と比べ、静圧が上昇する。
【０１４１】
よって、１階の給気口２６２からの給気量は９０ｍ３／ｈに維持されず、２階の給気口２６２からの給気量は６０ｍ３／ｈに維持されない。よって、２階の給気口２６２からの給気量は６０ｍ３／ｈと比べて増加し、１階の給気口２６２からの給気量は９０ｍ３／ｈと比べて減少する。なお、上記の説明では、給気口２６２について説明したが、排気口２６３についても同様のことが言える。
【０１４２】
つまり、給気口２６２及び排気口２６３の何れか一方が設けられた場合は、給気口２６２及び排気口２６３がなく、給気設備３５及び排気設備３７を共に備え、給気量と排気量との風量差を強制的に設けた場合に比べ、各階での給気量及び排気量の偏差は小さくなる。よって、１階から２階へ、又は２階から１階への空気の搬送量は低下する。その結果、給気口２６２及び排気口２６３が設けられている場合、給気設備３５及び排気設備３７を共に備えた場合に比べ、換気空調連携システム１は、省エネ効果が低減する。
【０１４３】
そこで、ダクト２５１に搬送ファン７１を設け、１階と２階との間の空気の搬送が強制的に行われるように構成してもよい。例えば、ダクト２５１に１階から２階に空気を搬送させる搬送ファン７１を１台設け、１階のＬＤＫに人が在室し、室内機８１＿２が稼働し、ＬＤＫの空気調和が実施されている場合を想定する。このような想定の場合、換気制御装置２１は、例えば、１階の排気ファン１０１の送風量を低下させ、２階の排気ファン１０１の送風量を増加させると同時に、ダクト２５１に設けられた搬送ファン７１を駆動させる。
【０１４４】
この結果、搬送ファン７１が駆動することで、ダクト２５１を介した送風量が搬送ファン７１の送風量で決定される。よって、給気口２６２及び排気口２６３が設けられていたとしても、給気口２６２及び排気口２６３がなく、給気設備３５及び排気設備３７を共に備えていた場合と同様に、換気制御装置２１は、１階から２階への送風量を適量分だけ確保させることができる。よって、換気制御装置２１は、低コストで省エネ効果を高めることができる。なお、上記で説明した各種設定値は一例であって、特にこれらに限定されない。
【０１４５】
＜複数の搬送ファン７１で制御する場合＞
なお、上記の説明では、搬送ファン７１が１つだけ設けられた一例について説明したが、特にこれに限定されない。例えば、搬送ファン７１を２つ用意し、１階から２階まで空気を搬送させるために１台の搬送ファン７１が設けられ、２階から１階まで空気を搬送させるために別の１台の搬送ファン７１が設けられ、換気制御装置２１が、それぞれの搬送ファン７１を制御することで、１階から２階への空気の搬送と、２階から１階への空気の搬送と、を別々に実現させてもよい。このような構成で、換気制御装置２１は、搬送ファン７１を２つ動作させることで、給気ファン９１及び排気ファン１０１とは独立した空気の流れを作り出すことができる。
【０１４６】
＜搬送ファン７１を両方向に回転制御する場合＞
なお、上記の説明では、搬送ファン７１の回転方向は一方向である一例について説明したが、特にこれに限定されない。例えば、１つの搬送ファン７１を正転及び逆転することができるように搬送ファン駆動部７３が構成されていれば、送風方向を吸込方向及び吹出方向といったように両方向に実現することができる。このような構成であれば、換気制御装置２１は、空調装置８０の稼働状況に応じて、１階から２階へ、又は２階から１階へと送風方向を切り換えることができる。この場合、１台の搬送装置５１で、１階運転と、２階運転と、のそれぞれの空調装置８０の運転パターンに対応することができるため、設置コストを低コストに抑えることができると共に、台数が少ない分だけ消費電力を低減することができるため、換気空調連携システム１は省エネ効果を高めることができる。
【０１４７】
＜ダクト２５１を複数設けた場合＞
なお、上記の説明では、１階と２階とを連通するダクト２５１が１つ設けられた一例について説明したが、特にこれに限定されない。例えば、ダクト２５１が複数設けられていてもよい。なお、１階と、２階と、の間で空気が搬送されればよいため、階段等のように空間が連通している部分を活用することで、ダクト２５１を複数設けるようにしてもよい。このような構成であれば、ダクト２５１を家屋２３１に細かく張り巡らすことができるため、換気制御装置２１は、冷熱又は温熱の回収効率を上げることができる。
【０１４８】
また、ダクト２５１を複数設ける別の一例として、各部屋にダクト２５１を分岐させて接続させ、各部屋との通気口にダンパ設備２６１としてダンパ２７１及びダンパ駆動部２７２が設けられてもよい。ダンパ２７１が設けられることで、換気制御装置２１は、ダクト２５１が連通する部屋を選択することができる。このような構成であれば、換気制御装置２１は、空調装置８０が稼働中の部屋の空気を選択的に他の部屋に流入させることができる。
【０１４９】
例えば、記憶装置２７に家屋２３１内での人の在室スケジュールが設定されている場合、換気制御装置２１は、その設定内容に基づいて、ダンパ駆動部２７２がダンパ２７１を制御することで、空調装置８０が稼働中の部屋から次に在室が予定される部屋に選択的に空気を搬送させてもよい。具体的には、１階のＬＤＫに人が在室し、室内機８１＿２が稼働中であり、ＬＤＫの空気調和が行われ、次に、人が寝室に在室し、室内機８１＿３の稼働が必要となることが記憶装置２７に予め設定されている場合を想定する。この場合、換気制御装置２１は、ＬＤＫと、寝室と、をダクト２５１が連通するようにダンパ駆動部２７２がダンパ２７１を制御し、ＬＤＫから排気される空気を選択的に２階の寝室に流入させる。
【０１５０】
このような制御が行われることで、例えば、１階のＬＤＫで冷房運転が実施中である場合、換気制御装置２１は、冷熱を寝室に集中的に搬送させることができる。よって、換気制御装置２１は、寝室の冷却効果をさらに高めることができる。よって、次に、人が寝室に在室状態となり、室内機８１＿３が稼働し始め際、寝室の冷却がさらに進んだ状態となる。したがって、換気制御装置２１は、寝室の冷却がさらに進んだ分だけ寝室の空気調和に必要となる消費電力を低減させることができ、さらに省エネの空調運用を空調装置８０に行わせることができる。
【０１５１】
＜第１の空間及び第２の空間を別の部屋に割り当てた場合＞
なお、上記の説明では、１階を第１の空間に割り当て、２階を第２の空間に割り当てているが、それぞれの空間の区分については特にこれらに限定されない。例えば、給気設備３５及び排気設備３７のそれぞれの設置状況に応じて適宜割り当てる部屋が変更されてもよい。例えば、２階の寝室と、２階の２つの子供室のそれぞれと、にそれぞれ独立して給気設備３５及び排気設備３７が設けられていれば、換気制御装置２１は、第１の空間を寝室に割り当て、第２の空間を２つの子供室のうちの１つの子供室に割り当ててもよい。
【０１５２】
このような構成であれば、２階という同一の階で冷熱又は温熱を回収し、空気調和に利用することができるため、換気制御装置２１は、各部屋にある冷熱又は温熱をさらに有効活用することができる。
【０１５３】
また、例えば、３階建ての２世帯住宅において、各部屋に給気設備３５及び排気設備３７が独立して割り当ててある場合を想定する。このような想定の場合、例えば、換気制御装置２１は、１階の第１の世帯のリビングに含まれる冷熱又は温熱を３階の第２の世帯のリビングに給気設備３５又は排気設備３７で回収させることができる。つまり、換気制御装置２１は、中間階となる２階にあるダクト２５１等を介して、１階の部屋と、２階との部屋と、の間の空気を移動させることができる。
【０１５４】
＜同じ部屋に給気ファン９１及び排気ファン１０１が設けられた場合＞
なお、給気設備３５の設定場所及び排気設備３７の設定場所が、家屋１階２３３及び家屋２階２３５といったように、階ごとに設けられている一例について説明したが、特にこれに限定されない。
【０１５５】
例えば、１つの階に複数の部屋がある場合、部屋ごとに給気設備３５及び排気設備３７が設けられてもよい。具体的には、１つの部屋に給気ファン９１及び排気ファン１０１が併設されてもよい。また、給気ファン９１が正転だけでなく逆転もできるように給気ファン駆動部９３が構成されることで、１台の給気装置５５で給気機能と排気機能とが実現されてもよい。同様に、排気ファン１０１が正転だけでなく逆転もできるように排気ファン駆動部１０３が構成されることで、１台の排気装置５７で排気機能と給気機能とが実現されてもよい。このような構成であれば、換気制御装置２１は、各部屋の空気の状態をさらに細かく制御できるため、空調装置８０をさらに省エネで運用することができる。
【０１５６】
以上、本実施の形態１においては、少なくとも、第１の排気装置５７と、第２の排気装置５７と、を有する排気設備３７と、少なくとも、第１の給気装置５５と、第２の給気装置５５と、を有する給気設備３５と、少なくとも、第１の空調装置８０と、第２の空調装置８０と、を有する空調設備３３と、を備えた建物に含まれる、少なくとも、第１の空間及び第１の空間と連通する第２の空間のそれぞれの空気の状態を、排気設備３７、給気設備３５、又は空調設備３３に、制御させる制御装置１１であって、排気設備３７及び給気設備３５のそれぞれを制御する換気制御装置２１と、空調設備３３を管理する空調管理装置２３と、を備え、第１の空調装置８０は、第１の空間の空気の状態を調和し、空気の状態に関する情報として空調管理情報を取得し、第２の空調装置８０は、第２の空間の空気の状態を調和し、空気の状態に関する情報として空調管理情報を取得し、空調管理装置２３は、空調設備３３から取得した空調管理情報のそれぞれを換気制御装置２１に供給し、換気制御装置２１は、空調管理装置２３から供給された空調管理情報に基づいて、少なくとも、第１の排気装置５７及び第１の給気装置５５の何れか１つを制御することで、第１の空間の空気の状態を制御し、少なくとも、第２の排気装置５７及び第２の給気装置５５の何れか１つを制御することで、第２の空間の空気の状態を制御するものであって、排気設備３７の合計排気量と、給気設備３５の合計給気量と、を制御の前後で同一に保たせつつ、第１の排気装置５７、第２の排気装置５７、第１の給気装置５５、及び第２の給気装置５５のうち、少なくとも何れか１つを制御することで、第１の空間と、第２の空間との間で差圧を生じさせ、第１の空間と、第２の空間との間の空気の流れを制御する制御装置１１が構成される。
【０１５７】
上記構成のため、制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを実現させることができる。
【０１５８】
実施の形態２．
＜相違点の説明＞
実施の形態１との相違点は、換気運転中、家屋２階２３５で冷房運転が行われている部屋があることが前提であって、換気制御装置２１が、家屋２階２３５側に存在する冷熱を家屋１階２３３側に移動させる制御を行う点にある。
【０１５９】
＜動作の説明＞
図１１は、本発明の実施の形態２における換気制御装置２１の制御例を説明するフローチャートである。図１２は、本発明の実施の形態２における２階の室内機８１＿３で生成された冷熱が１階へ回収されるときの家屋２３１の排気量及び給気量の一例を示す図である。
【０１６０】
（ステップＳ３１）
換気制御装置２１は、各階の室内機８１が稼働していないか否かを判定する。換気制御装置２１は、各階の室内機８１が稼働していない場合、ステップＳ３２に進む。一方、換気制御装置２１は、各階の室内機８１が稼働している場合、ステップＳ３３に進む。
【０１６１】
（ステップＳ３２）
換気制御装置２１は、デフォルト設定で換気運転を行う。
【０１６２】
（ステップＳ３３）
換気制御装置２１は、２階で室内機８１が稼働している部屋があるか否かを判定する。換気制御装置２１は、２階で室内機８１が稼働している部屋がある場合、ステップＳ３４に進む。一方、換気制御装置２１は、２階で室内機８１が稼働している部屋がない場合、処理を終了する。
【０１６３】
（ステップＳ３４）
換気制御装置２１は、２階で稼働している室内機８１が冷房運転中であるか否かを判定する。換気制御装置２１は、２階で稼働している室内機８１が冷房運転中である場合、ステップＳ３５に進む。一方、換気制御装置２１は、２階で稼働している室内機８１が冷房運転中でない場合、処理を終了する。
【０１６４】
（ステップＳ３５）
換気制御装置２１は、１階で室内機８１が稼働している部屋がないか否かを判定する。換気制御装置２１は、１階で室内機８１が稼働している部屋がない場合、ステップＳ３６に進む。一方、換気制御装置２１は、１階で室内機８１が稼働している部屋がある場合、処理を終了する。
【０１６５】
（ステップＳ３６）
換気制御装置２１は、２階の給排気量を制御する。具体的には、換気制御装置２１は、２階の給気量＞２階の排気量となるような目標制御量で制御する。例えば、図１２に示すように、換気制御装置２１は、２階の排気量を減少させることで、相対的に２階の給気量が２階の排気量と比べて多くなるように調整している。
【０１６６】
（ステップＳ３７）
換気制御装置２１は、１階の給排気量を制御する。具体的には、換気制御装置２１は、１階の排気量＞１階の給気量となるような目標制御量で制御する。例えば、図１２に示すように、換気制御装置２１は、１階の排気量を増加させることで、相対的に１階の排気量が１階の給気量と比べて多くなるように調整している。
【０１６７】
（ステップＳ３８）
換気制御装置２１は、住宅全体必要換気量を満たすか否かを判定する。換気制御装置２１は、住宅全体必要換気量を満たす場合、処理を終了する。一方、換気制御装置２１は、住宅全体必用換気量を満たさない場合、ステップＳ３６に戻る。
【０１６８】
＜効果の説明＞
図１３は、本発明の実施の形態２における２階の室内機８１＿３で生成された冷熱が１階へ回収されるときの空気の流れの一例を示す図である。図１３に示すように、２階では、家屋２階合計給気量が家屋２階合計排気量と比べて多く、１階では、家屋１階合計排気量が家屋１階合計給気量と比べて多い。よって、冷熱供給側の２階から冷熱回収側の１階へ空気が流れる。また、家屋合計給気量と、家屋合計排気量と、住宅全体必要換気量とが等しい。よって、常時換気の基準が満たされている。
【０１６９】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを特に顕著に実現させることができる。
【０１７０】
実施の形態３．
＜相違点の説明＞
実施の形態１及び実施の形態２との相違点は、換気運転中、家屋１階２３３で暖房運転が行われている部屋があることが前提であって、換気制御装置２１が、家屋１階２３３側に存在する温熱を家屋２階２３５側に移動させる制御を行う点にある。
【０１７１】
＜動作の説明＞
図１４は、本発明の実施の形態３における換気制御装置２１の制御例を説明するフローチャートである。図１５は、本発明の実施の形態３における１階の室内機８１＿２で生成される温熱が２階へ回収されるときの家屋２３１の排気量及び給気量の一例を示す図である。
【０１７２】
（ステップＳ５１）
換気制御装置２１は、各階の室内機８１が稼働していないか否かを判定する。換気制御装置２１は、各階の室内機８１が稼働していない場合、ステップＳ５２に進む。一方、換気制御装置２１は、各階の室内機８１が稼働している場合、ステップＳ５３に進む。
【０１７３】
（ステップＳ５２）
換気制御装置２１は、デフォルト設定で換気運転を行う。
【０１７４】
（ステップＳ５３）
換気制御装置２１は、１階で室内機８１が稼働している部屋があるか否かを判定する。換気制御装置２１は、１階で室内機８１が稼働している部屋がある場合、ステップＳ５４に進む。一方、換気制御装置２１は、１階で室内機８１が稼働している部屋がない場合、処理を終了する。
【０１７５】
（ステップＳ５４）
換気制御装置２１は、１階で稼働している室内機８１が暖房運転中であるか否かを判定する。換気制御装置２１は、１階で稼働している室内機８１が暖房運転中である場合、ステップＳ５５に進む。一方、換気制御装置２１は、１階で稼働している室内機８１が暖房運転中でない場合、処理を終了する。
【０１７６】
（ステップＳ５５）
換気制御装置２１は、２階で室内機８１が稼働している部屋がないか否かを判定する。換気制御装置２１は、２階で室内機８１が稼働している部屋がない場合、ステップＳ５６に進む。一方、換気制御装置２１は、２階で室内機８１が稼働している部屋がある場合、処理を終了する。
【０１７７】
（ステップＳ５６）
換気制御装置２１は、１階の給排気量を制御する。具体的には、換気制御装置２１は、１階の給気量＞１階の排気量となるような目標制御量で制御する。例えば、図１５に示すように、換気制御装置２１は、１階の排気量を減少させることで、相対的に１階の給気量が２階の排気量と比べて多くなるように調整している。
【０１７８】
（ステップＳ５７）
換気制御装置２１は、２階の給排気量を制御する。具体的には、換気制御装置２１は、２階の排気量＞２階の給気量となるような目標制御量で制御する。例えば、図１５に示すように、換気制御装置２１は、２階の排気量を増加させることで、相対的に２階の排気量が２階の給気量と比べて多くなるように調整している。
【０１７９】
（ステップＳ５８）
換気制御装置２１は、住宅全体必要換気量を満たすか否かを判定する。換気制御装置２１は、住宅全体必要換気量を満たす場合、処理を終了する。一方、換気制御装置２１は、住宅全体必用換気量を満たさない場合、ステップＳ５６に戻る。
【０１８０】
＜効果の説明＞
図１６は、本発明の実施の形態３における１階の室内機８１＿２で生成された温熱が２階へ回収されるときの空気の流れの一例を示す図である。図１６に示すように、１階では、家屋１階合計給気量が家屋１階合計排気量と比べて多く、２階では、家屋２階合計排気量が家屋２階合計給気量と比べて多い。よって、温熱供給側の１階から温熱回収側の２階へ空気が流れる。また、家屋合計給気量と、家屋合計排気量と、住宅全体必要換気量とが等しい。よって、常時換気の基準が満たされている。
【０１８１】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを特に顕著に実現させることができる。
【０１８２】
実施の形態４．
＜相違点の説明＞
実施の形態１〜実施の形態３との相違点は、換気運転中、家屋２階２３５で暖房運転が行われている部屋があることが前提であって、換気制御装置２１が、家屋２階２３５側に存在する温熱を家屋１階２３３側に移動させる制御を行う点にある。
【０１８３】
＜動作の説明＞
図１７は、本発明の実施の形態４における換気制御装置２１の制御例を説明するフローチャートである。図１８は、本発明の実施の形態４における２階の室内機８１＿３で生成された温熱が１階へ回収されるときの家屋２３１の排気量及び給気量の一例を示す図である。
【０１８４】
（ステップＳ７１）
換気制御装置２１は、各階の室内機８１が稼働していないか否かを判定する。換気制御装置２１は、各階の室内機８１が稼働していない場合、ステップＳ７２に進む。一方、換気制御装置２１は、各階の室内機８１が稼働している場合、ステップＳ７３に進む。
【０１８５】
（ステップＳ７２）
換気制御装置２１は、デフォルト設定で換気運転を行う。
【０１８６】
（ステップＳ７３）
換気制御装置２１は、２階で室内機８１が稼働している部屋があるか否かを判定する。換気制御装置２１は、２階で室内機８１が稼働している部屋がある場合、ステップＳ７４に進む。一方、換気制御装置２１は、２階で室内機８１が稼働している部屋がない場合、処理を終了する。
【０１８７】
（ステップＳ７４）
換気制御装置２１は、２階で稼働している室内機８１が暖房運転中であるか否かを判定する。換気制御装置２１は、２階で稼働している室内機８１が暖房運転中である場合、ステップＳ７５に進む。一方、換気制御装置２１は、２階で稼働している室内機８１が暖房運転中でない場合、処理を終了する。
【０１８８】
（ステップＳ７５）
換気制御装置２１は、１階で室内機８１が稼働していない部屋があるか否かを判定する。換気制御装置２１は、１階で室内機８１が稼働していない部屋がある場合、ステップＳ７６に進む。一方、換気制御装置２１は、１階で室内機８１が稼働していない部屋がない場合、処理を終了する。
【０１８９】
（ステップＳ７６）
換気制御装置２１は、２階の給排気量を制御する。具体的には、換気制御装置２１は、２階の給気量＞２階の排気量となるような目標制御量で制御する。例えば、図１８に示すように、換気制御装置２１は、２階の排気量を減少させることで、相対的に２階の給気量が２階の排気量と比べて多くなるように調整している。
【０１９０】
（ステップＳ７７）
換気制御装置２１は、１階の給排気量を制御する。具体的には、換気制御装置２１は、１階の排気量＞１階の給気量となるような目標制御量で制御する。例えば、図１８に示すように、換気制御装置２１は、１階の排気量を増加させることで、相対的に１階の排気量が１階の給気量と比べて多くなるように調整している。
【０１９１】
（ステップＳ７８）
換気制御装置２１は、住宅全体必要換気量を満たすか否かを判定する。換気制御装置２１は、住宅全体必要換気量を満たす場合、処理を終了する。一方、換気制御装置２１は、住宅全体必用換気量を満たさない場合、ステップＳ７６に戻る。
【０１９２】
＜効果の説明＞
図１９は、本発明の実施の形態４における２階の室内機８１＿３で生成された温熱が２階へ回収されるときの空気の流れの一例を示す図である。図１９に示すように、２階では、家屋２階合計給気量が家屋２階合計排気量と比べて多く、１階では、家屋１階合計排気量が家屋１階合計給気量と比べて多い。よって、温熱供給側の２階から温熱回収側の１階へ空気が流れる。また、家屋合計給気量と、家屋合計排気量と、住宅全体必要換気量とが等しい。よって、常時換気の基準が満たされている。
【０１９３】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを特に顕著に実現させることができる。
【０１９４】
実施の形態５．
＜相違点の説明＞
実施の形態１〜実施の形態４との相違点は、換気運転中、家屋１階２３３で冷房運転が行われ、換気制御装置２１が、家屋２階２３５の室内温度と外気温度との比較を行うことが前提であって、家屋２階２３５の室内温度が外気温度と比べて低い場合、家屋２階２３５側に存在する冷熱を家屋１階２３３側に移動させる制御を行う点にある。
【０１９５】
＜構成の説明＞
図２０は、本発明の実施の形態５における換気制御装置２１及び記憶装置２７のそれぞれの詳細構成例を示す図である。図２０に示すように、空調空間情報格納領域２０３に記憶される外気温度データ及び室内温度データが利用される。外気温度データは、例えば、室外機８３の設けられている温度センサー１４１の検知結果が制御装置１１に供給される。室内温度データは、例えば、室内機８１に設けられる温度センサー１４５の検知結果が制御装置１１に供給される。なお、温度センサー１４１は、例えば、室外機８３の内部に内蔵されている。温度センサー１４５は、例えば、室内機８１の内部に内蔵されている。
【０１９６】
＜動作の説明＞
図２１は、本発明の実施の形態５における換気制御装置２１の制御例を説明するフローチャートである。図２２は、本発明の実施の形態５における２階に存在する冷熱が特定の条件の場合に稼働中の室内機８１＿２を含む１階へ回収されるときの家屋２３１の排気量及び給気量の一例を示す図である。ここでは、空調装置８０の運転と連携した換気運転の制御について説明する。
【０１９７】
（ステップＳ９１）
換気制御装置２１は、各階の室内機８１が稼働していないか否かを判定する。換気制御装置２１は、各階の室内機８１が稼働していない場合、ステップＳ９２に進む。一方、換気制御装置２１は、各階の室内機８１が稼働している場合、ステップＳ９３に進む。
【０１９８】
（ステップＳ９２）
換気制御装置２１は、デフォルト設定で換気運転を行う。
【０１９９】
（ステップＳ９３）
換気制御装置２１は、１階で室内機８１が稼働している部屋があるか否かを判定する。換気制御装置２１は、１階で室内機８１が稼働している部屋がある場合、ステップＳ９４に進む。一方、換気制御装置２１は、１階で室内機８１が稼働している部屋がない場合、処理を終了する。
【０２００】
（ステップＳ９４）
換気制御装置２１は、１階で稼働している室内機８１が冷房運転中であるか否かを判定する。換気制御装置２１は、１階で稼働している室内機８１が冷房運転中である場合、ステップＳ９５に進む。一方、換気制御装置２１は、１階で稼働している室内機８１が冷房運転中でない場合、処理を終了する。
【０２０１】
（ステップＳ９５）
換気制御装置２１は、２階で室内機８１が稼働している部屋がないか否かを判定する。換気制御装置２１は、２階で室内機８１が稼働している部屋がない場合、ステップＳ９６に進む。一方、換気制御装置２１は、２階で室内機８１が稼働している部屋がある場合、処理を終了する。
【０２０２】
（ステップＳ９６）
換気制御装置２１は、２階の各部屋の温度を取得する。
【０２０３】
（ステップＳ９７）
換気制御装置２１は、２階の各部屋の温度の平均温度を求める。
【０２０４】
（ステップＳ９８）
換気制御装置２１は、外気温度を取得する。
【０２０５】
（ステップＳ９９）
換気制御装置２１は、平均温度が外気温度と比べて低いか否かを判定する。換気制御装置２１は、平均温度が外気温度と比べて低い場合、ステップＳ１００に進む。一方、換気制御装置２１は、平均温度が外気温度と比べて低くない場合、ステップＳ１０３に進む。
【０２０６】
（ステップＳ１００）
換気制御装置２１は、２階の給排気量を制御する。具体的には、換気制御装置２１は、２階の給気量＞２階の排気量となるような目標制御量で２階の給気ファン９１＿２１及び２階の排気ファン１０１＿２１を制御する。つまり、換気制御装置２１は、２階の給気量から２階の排気量を差し引いた値が正となるように給気ファン９１＿２１及び排気ファン１０１＿２１を制御する。例えば、図２２に示すように、２階の給気ファン９１＿２１の送風量を増加させる。
【０２０７】
さらに具体的には、換気制御装置２１は、給気ファン９１＿２１ａを４５ｍ３／ｈにさせ、給気ファン９１＿２１ｂ及び給気ファン９１＿２１ｃのそれぞれを２２．５ｍ３／ｈにさせ、家屋２階合計給気量を９０ｍ３／ｈで運転させる。換気制御装置２１は、排気ファン１０１＿２１ａ及び排気ファン１０１＿２１ｂのそれぞれを３０ｍ３／ｈにさせ、家屋２階合計排気量を６０ｍ３／ｈで運転させる。なお、２階の排気量についてはデフォルト設定のままである。
【０２０８】
（ステップＳ１０１）
換気制御装置２１は、１階の給排気量を制御する。具体的には、換気制御装置２１は、１階の排気量＞１階の給気量となるような目標制御量で１階の給気ファン９１＿１１及び１階の排気ファン１０１＿１１を制御する。つまり、換気制御装置２１は、１階の排気量から１階の給気量を差し引いた値が正となるように排気ファン１０１＿１１及び給気ファン９１＿１１を制御する。例えば、図２２に示すように、１階の給気ファン９１＿１１の送風量を減少させる。
【０２０９】
さらに具体的には、換気制御装置２１は、給気ファン９１＿１１ａ〜給気ファン９１＿１１ｄのそれぞれを１５ｍ３／ｈにさせ、家屋１階合計給気量を６０ｍ３／ｈで運転させる。換気制御装置２１は、排気ファン１０１＿１１ａ〜排気ファン１０１＿１１ｃのそれぞれを３０ｍ３／ｈにさせ、家屋１階合計排気量を９０ｍ３／ｈで運転させる。なお、１階の排気量についてはデフォルト設定のままである。
【０２１０】
（ステップＳ１０２）
換気制御装置２１は、住宅全体必要換気量を満たすか否かを判定する。換気制御装置２１は、住宅全体必要換気量を満たす場合、処理を終了する。一方、換気制御装置２１は、住宅全体必要換気量を満たさない場合、ステップＳ１００に戻る。
【０２１１】
（ステップＳ１０３）
換気制御装置２１は、デフォルト設定で換気運転を行い、処理を終了する。
【０２１２】
以上の各ステップが実行された結果、１階は排気量＞給気量となり、２階は給気量＞排気量となるため、２階から１階への空気の流れが生じる。
【０２１３】
＜効果の説明＞
図２３は、本発明の実施の形態５における２階に存在する冷熱が特定の条件の場合に稼働中の室内機８１＿２を含む１階へ回収されるときの空気の流れの一例を示す図である。図２３に示すように、１階では排気量が給気量に対し、３０ｍ３／ｈ多く、２階では給気量が排気量に対し３０ｍ３／ｈ多い。よって、１階と２階とを連通するダクト２５１を介して、２階から１階に３０ｍ３／ｈの空気が流れる。
【０２１４】
具体的には、１階の空気調和が行われているＬＤＫに流入する給気量は、デフォルト設定では、給気ファン９１＿１１ａ、給気ファン９１＿１１ｂ、及び給気ファン９１＿１１ｄが外気から給気するため、合計６７．５ｍ３／ｈであった。これに対し、給気量が低下し、給気ファン９１＿１１ａ、給気ファン９１＿１１ｂ、及び給気ファン９１＿１１ｄの合計量は合計４５ｍ３／ｈに低下する。１階の排気量はデフォルト設定のままであるため、外気からの給気量が低下した分の２２．５ｍ３／ｈが２階から１階のＬＤＫに供給される。
【０２１５】
また、冷房運転を実施しているＬＤＫの空調負荷の一部は、給気に伴い外気から稼働中の室内機８１のある部屋に搬送される高温の空気である。そこで、本実施の形態５を用いれば、換気制御装置２１は、稼働中の室内機８１がある部屋に外気からの給気量を低減させる。
【０２１６】
よって、その低減された送風量に対応する空気が、外気温度と比べて低温である２階の空気が１階に給気されるため、換気制御装置２１は、稼働中の室内機８１のある部屋に外気からの給気に伴う冷房負荷を低減させることができる。
【０２１７】
したがって、換気制御装置２１は、稼働中の室内機８１を含む空調装置８０の必要運転容量を低減させるため、稼働中の室内機８１を含む空調装置８０の消費電力を低減させ、省エネ運転を実現させることができる。
【０２１８】
＜他の応用例＞
なお、上記の説明は、換気制御装置２１が給気ファン９１の送風量を制御する一例であって、稼働中の室内機８１がある部屋には外気からの給気量を低減させ、外気と比べて低温である２階の空気を１階に給気する運転であれば、特に限定されない。
【０２１９】
例えば、換気制御装置２１は、排気ファン１０１の送風量を制御してもよく、ダクト２５１に設けた搬送ファン７１で空気の搬送を行ってもよい。換気制御装置２１は、何れにしても、１階は排気量＞給気量となり、２階は給気量＞排気量となるように換気運転を制御し、２階から１階への空気の流れを生じさせるようにすることで、稼働中の室内機８１がある部屋への給気に伴う冷房負荷を低減させる。よって、換気制御装置２１は、稼働中の室内機８１を含む空調装置８０の消費電力を低減させるため、省エネ運転を実現させることができる。
【０２２０】
なお、上記で説明した給気量及び排気量の制御は一例であって、給気ファン９１及び排気ファン１０１のそれぞれの運転特性に応じて、換気制御装置２１が風量調整を適宜行ってもよい。また、上記の説明では、１階のＬＤＫの室内機８１＿２が稼働している場合について説明したが、特にこれに限定されない。例えば、１階の和室等のような他の部屋の室内機８１が稼働している場合であっても、換気制御装置２１は、同様の制御を行うことで、同様の効果を奏することができる。
【０２２１】
なお、上記の説明では、換気制御装置２１は、室内温度と、外気温度とを直接計測した結果に基づいて、複数の換気動作のうち、該当する換気動作を選択しているが、特にこれに限定されない。例えば、換気制御装置２１は、室内温度と、外気温度と、の大小関係を推測することで、複数の換気動作のうち、該当する換気動作を選択してもよい。例えば、直前まで人が在室していたため、人が在室していた部屋の室内機８１が空気調和を行っていた後、人が不在状態となり、人が不在状態となった部屋の室内機８１が停止された場合を想定する。
【０２２２】
このような想定の場合、室内機８１の稼働に伴い、冷熱又は温熱は、人が不在状態となった部屋に蓄えられている。よって、室内機８１が冷房運転を行っていた場合には、室内温度＜外気温度であり、室内機８１が暖房運転を行っていた場合には、室内温度＞外気温度であると推定される。このような推定結果が換気制御装置２１に供給されることで、換気制御装置２１は、供給された推定結果に基づいて、複数の換気動作のうち、該当する換気動作を選択してもよい。なお、このような推定動作は、例えば、空調管理装置２３が行ってもよく、換気制御装置２１が行ってもよい。
【０２２３】
なお、２階建てである家屋２３１に日射がある場合、２階では日射熱が室内の各部屋に蓄えられると想定されるため、家屋２階２３５では室内温度＞外気温度となる。そこで、図示しない照度センサーが家屋２階２３５に設けられれば、換気制御装置２１は、図示しない照度センサーが検知した日射量の情報を用いることで、予め設定された閾値以上の日射量が検知された場合、室内温度＞外気温度と判断し、複数の換気動作のうち、該当する換気動作を選択してもよい。
【０２２４】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを特に顕著に実現させることができる。
【０２２５】
実施の形態６．
＜相違点の説明＞
実施の形態１〜実施の形態５との相違点は、換気運転中、家屋２階２３５で冷房運転が行われ、換気制御装置２１が、家屋１階２３３の室内温度と外気温度との比較を行うことが前提であって、家屋１階２３３の室内温度が外気温度と比べて低い場合、家屋１階２３３側に存在する冷熱を家屋２階２３５側に移動させる制御を行う点にある。
【０２２６】
＜動作の説明＞
図２４は、本発明の実施の形態６における換気制御装置２１の制御例を説明するフローチャートである。図２５は、本発明の実施の形態６における１階に存在する冷熱が特定の条件の場合に稼働中の室内機８１＿３を含む２階へ回収されるときの家屋２３１の排気量及び給気量の一例を示す図である。
【０２２７】
（ステップＳ１２１）
換気制御装置２１は、各階の室内機８１が稼働していないか否かを判定する。換気制御装置２１は、各階の室内機８１が稼働していない場合、ステップＳ１２２に進む。一方、換気制御装置２１は、各階の室内機８１が稼働している場合、ステップＳ１２３に進む。
【０２２８】
（ステップＳ１２２）
換気制御装置２１は、デフォルト設定で換気運転を行う。
【０２２９】
（ステップＳ１２３）
換気制御装置２１は、２階で室内機８１が稼働している部屋があるか否かを判定する。換気制御装置２１は、２階で室内機８１が稼働している部屋がある場合、ステップＳ１２４に進む。一方、換気制御装置２１は、２階で室内機８１が稼働している部屋がない場合、処理を終了する。
【０２３０】
（ステップＳ１２４）
換気制御装置２１は、２階で稼働している室内機８１が冷房運転中であるか否かを判定する。換気制御装置２１は、２階で稼働している室内機８１が冷房運転中である場合、ステップＳ１２５に進む。一方、換気制御装置２１は、２階で稼働している室内機８１が冷房運転中でない場合、処理を終了する。
【０２３１】
（ステップＳ１２５）
換気制御装置２１は、１階で室内機８１が稼働している部屋がないか否かを判定する。換気制御装置２１は、１階で室内機８１が稼働している部屋がない場合、ステップＳ１２６に進む。一方、換気制御装置２１は、１階で室内機８１が稼働している部屋がある場合、処理を終了する。
【０２３２】
（ステップＳ１２６）
換気制御装置２１は、１階の各部屋の温度を取得する。
【０２３３】
（ステップＳ１２７）
換気制御装置２１は、１階の各部屋の温度の平均温度を求める。
【０２３４】
（ステップＳ１２８）
換気制御装置２１は、外気温度を取得する。
【０２３５】
（ステップＳ１２９）
換気制御装置２１は、平均温度が外気温度と比べて低いか否かを判定する。換気制御装置２１は、平均温度が外気温度と比べて低い場合、ステップＳ１３０に進む。一方、換気制御装置２１は、平均温度が外気温度と比べて低くない場合、ステップＳ１３３に進む。
【０２３６】
（ステップＳ１３０）
換気制御装置２１は、１階の給排気量を制御する。具体的には、換気制御装置２１は、１階の給気量＞１階の排気量となるような目標制御量で１階の給気ファン９１＿１１及び１階の排気ファン１０１＿１１を制御する。つまり、換気制御装置２１は、１階の給気量から１階の排気量を差し引いた値が正となるように給気ファン９１＿１１及び排気ファン１０１＿１１を制御する。例えば、図２５に示すように、１階の給気ファン９１＿１１の送風量を増加させる。
【０２３７】
さらに具体的には、換気制御装置２１は、給気ファン９１＿１１ａ〜給気ファン９１＿１１ｄのそれぞれを２７．５ｍ３／ｈにさせ、家屋１階合計給気量を１１０ｍ３／ｈで運転させる。換気制御装置２１は、排気ファン１０１＿１１ａ〜排気ファン１０１＿１１ｃのそれぞれを３０ｍ３／ｈにさせ、家屋１階合計排気量を９０ｍ３／ｈで運転させる。なお、１階の排気量についてはデフォルト設定のままである。
【０２３８】
（ステップＳ１３１）
換気制御装置２１は、２階の給排気量を制御する。具体的には、換気制御装置２１は、２階の排気量＞２階の給気量となるような目標制御量で２階の給気ファン９１＿２１及び２階の排気ファン１０１＿２１を制御する。つまり、換気制御装置２１は、２階の排気量から２階の給気量を差し引いた値が正となるように排気ファン１０１＿２１及び給気ファン９１＿２１を制御する。例えば、図２５に示すように、２階の給気ファン９１＿２１の送風量を減少させる。
【０２３９】
さらに具体的には、換気制御装置２１は、給気ファン９１＿２１ａを２０ｍ３／ｈにさせ、給気ファン９１＿２１ｂ及び給気ファン９１＿２１ｃのそれぞれを１０ｍ３／ｈにさせ、家屋２階合計給気量を４０ｍ３／ｈで運転させる。換気制御装置２１は、排気ファン１０１＿２１ａ及び排気ファン１０１＿２１ｂのそれぞれを３０ｍ３／ｈにさせ、家屋２階合計排気量を６０ｍ３／ｈで運転させる。なお、２階の排気量についてはデフォルト設定のままである。
【０２４０】
（ステップＳ１３２）
換気制御装置２１は、住宅全体必要換気量を満たすか否かを判定する。換気制御装置２１は、住宅全体必要換気量を満たす場合、処理を終了する。一方、換気制御装置２１は、住宅全体必要換気量を満たさない場合、ステップＳ１３０に戻る。
【０２４１】
（ステップＳ１３３）
換気制御装置２１は、デフォルト設定で換気運転を行い、処理を終了する。
【０２４２】
以上の各ステップが実行された結果、２階は排気量＞給気量となり、１階は給気量＞排気量となるため、１階から２階への空気の流れが生じる。
【０２４３】
＜効果の説明＞
図２６は、本発明の実施の形態６における１階に存在する冷熱が特定の条件の場合に稼働中の室内機８１＿３を含む２階へ回収されるときの空気の流れの一例を示す図である。図２６に示すように、２階では排気量が給気量に対し、２０ｍ３／ｈ多く、１階では給気量が排気量に対し２０ｍ３／ｈ多い。よって、１階と２階とを連通するダクト２５１を介して、１階から２階に２０ｍ３／ｈの空気が流れる。
【０２４４】
具体的には、２階の空気調和が行われている寝室に流入する給気量は、デフォルト設定では、給気ファン９１＿２１ａが外気から給気するため、３０ｍ３／ｈであった。これに対し、給気量が低下し、給気ファン９１＿２１ａの給気量は２０ｍ３／ｈに低下する。２階の排気量はデフォルト設定のままであるため、外気からの給気量が低下した分の１０ｍ３／ｈが１階から２階の寝室に供給される。
【０２４５】
また、冷房運転を実施している寝室の空調負荷の一部は、給気に伴い外気から稼働中の室内機８１のある部屋に搬送される高温の空気である。そこで、本実施の形態６を用いれば、換気制御装置２１は、稼働中の室内機８１がある部屋に外気からの給気量を低減させる。
【０２４６】
よって、その低減された送風量に対応する空気が、外気温度と比べて低温である１階の空気が２階に給気されるため、換気制御装置２１は、稼働中の室内機８１のある部屋に外気からの給気に伴う冷房負荷を低減させることができる。
【０２４７】
したがって、換気制御装置２１は、稼働中の室内機８１を含む空調装置８０の必要運転容量を低減させるため、稼働中の室内機８１を含む空調装置８０の消費電力を低減させ、省エネ運転を実現させることができる。
【０２４８】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを特に顕著に実現させることができる。
【０２４９】
実施の形態７．
＜相違点の説明＞
実施の形態１〜実施の形態６との相違点は、換気運転中、家屋１階２３３で暖房運転が行われ、換気制御装置２１が、家屋２階２３５の室内温度と外気温度との比較を行うことが前提であって、家屋２階２３５の室内温度が外気温度と比べて高い場合、家屋２階２３５側に存在する温熱を家屋１階２３３側に移動させる制御を行う点にある。
【０２５０】
＜動作の説明＞
図２７は、本発明の実施の形態７における換気制御装置２１の制御例を説明するフローチャートである。図２８は、本発明の実施の形態７における２階に存在する温熱が特定の条件の場合に稼働中の室内機８１＿２を含む１階へ回収されるときの家屋２３１の排気量及び給気量の一例を示す図である。
【０２５１】
（ステップＳ１５１）
換気制御装置２１は、各階の室内機８１が稼働していないか否かを判定する。換気制御装置２１は、各階の室内機８１が稼働していない場合、ステップＳ１５２に進む。一方、換気制御装置２１は、各階の室内機８１が稼働している場合、ステップＳ１５３に進む。
【０２５２】
（ステップＳ１５２）
換気制御装置２１は、デフォルト設定で換気運転を行う。
【０２５３】
（ステップＳ１５３）
換気制御装置２１は、１階で室内機８１が稼働している部屋があるか否かを判定する。換気制御装置２１は、１階で室内機８１が稼働している部屋がある場合、ステップＳ１５４に進む。一方、換気制御装置２１は、１階で室内機８１が稼働している部屋がない場合、処理を終了する。
【０２５４】
（ステップＳ１５４）
換気制御装置２１は、１階で稼働している室内機８１が暖房運転中であるか否かを判定する。換気制御装置２１は、１階で稼働している室内機８１が暖房運転中である場合、ステップＳ１５５に進む。一方、換気制御装置２１は、１階で稼働している室内機８１が暖房運転中でない場合、処理を終了する。
【０２５５】
（ステップＳ１５５）
換気制御装置２１は、２階で室内機８１が稼働している部屋がないか否かを判定する。換気制御装置２１は、２階で室内機８１が稼働している部屋がない場合、ステップＳ１５６に進む。一方、換気制御装置２１は、２階で室内機８１が稼働している部屋がある場合、処理を終了する。
【０２５６】
（ステップＳ１５６）
換気制御装置２１は、２階の各部屋の温度を取得する。
【０２５７】
（ステップＳ１５７）
換気制御装置２１は、２階の各部屋の温度の平均温度を求める。
【０２５８】
（ステップＳ１５８）
換気制御装置２１は、外気温度を取得する。
【０２５９】
（ステップＳ１５９）
換気制御装置２１は、平均温度が外気温度と比べて高いか否かを判定する。換気制御装置２１は、平均温度が外気温度と比べて高い場合、ステップＳ１６０に進む。一方、換気制御装置２１は、平均温度が外気温度と比べて高くない場合、ステップＳ１６３に進む。
【０２６０】
（ステップＳ１６０）
換気制御装置２１は、２階の給排気量を制御する。具体的には、換気制御装置２１は、２階の給気量＞２階の排気量となるような目標制御量で２階の給気ファン９１＿２１及び２階の排気ファン１０１＿２１を制御する。つまり、換気制御装置２１は、２階の給気量から２階の排気量を差し引いた値が正となるように給気ファン９１＿２１及び排気ファン１０１＿２１を制御する。例えば、図２８に示すように、２階の給気ファン９１＿２１の送風量を増加させる。
【０２６１】
さらに具体的には、換気制御装置２１は、給気ファン９１＿２１ａを４５ｍ３／ｈにさせ、給気ファン９１＿２１ｂ及び給気ファン９１＿２１ｃのそれぞれを２２．５ｍ３／ｈにさせ、家屋２階合計給気量を９０ｍ３／ｈで運転させる。換気制御装置２１は、排気ファン１０１＿２１ａ及び排気ファン１０１＿２１ｂのそれぞれを３０ｍ３／ｈにさせ、家屋２階合計排気量を６０ｍ３／ｈで運転させる。なお、２階の排気量についてはデフォルト設定のままである。
【０２６２】
（ステップＳ１６１）
換気制御装置２１は、１階の給排気量を制御する。具体的には、換気制御装置２１は、１階の排気量＞１階の給気量となるような目標制御量で１階の給気ファン９１＿１１及び１階の排気ファン１０１＿１１を制御する。つまり、換気制御装置２１は、１階の排気量から１階の給気量を差し引いた値が正となるように排気ファン１０１＿１１及び給気ファン９１＿１１を制御する。例えば、図２８に示すように、１階の給気ファン９１＿１１の送風量を減少させる。
【０２６３】
さらに具体的には、換気制御装置２１は、給気ファン９１＿１１ａ〜給気ファン９１＿１１ｄのそれぞれを１５ｍ３／ｈにさせ、家屋１階合計給気量を６０ｍ３／ｈで運転させる。換気制御装置２１は、排気ファン１０１＿１１ａ〜排気ファン１０１＿１１ｃのそれぞれを３０ｍ３／ｈにさせ、家屋１階合計排気量を９０ｍ３／ｈで運転させる。なお、１階の排気量についてはデフォルト設定のままである。
【０２６４】
（ステップＳ１６２）
換気制御装置２１は、住宅全体必要換気量を満たすか否かを判定する。換気制御装置２１は、住宅全体必要換気量を満たす場合、処理を終了する。一方、換気制御装置２１は、住宅全体必要換気量を満たさない場合、ステップＳ１６０に戻る。
【０２６５】
（ステップＳ１６３）
換気制御装置２１は、デフォルト設定で換気運転を行い、処理を終了する。
【０２６６】
以上の各ステップが実行された結果、１階は排気量＞給気量となり、２階は給気量＞排気量となるため、２階から１階への空気の流れが生じる。
【０２６７】
＜効果の説明＞
図２９は、本発明の実施の形態７における２階に存在する温熱が特定の条件の場合に稼働中の室内機８１＿２を含む１階へ回収されるときの空気の流れの一例を示す図である。図２９に示すように、１階では排気量が給気量に対し、３０ｍ３／ｈ多く、２階では給気量が排気量に対し３０ｍ３／ｈ多い。よって、１階と２階とを連通するダクト２５１を介して、２階から１階に３０ｍ３／ｈの空気が流れる。
【０２６８】
具体的には、１階の空気調和が行われているＬＤＫに流入する給気量は、デフォルト設定では、給気ファン９１＿１１ａ、給気ファン９１＿１１ｂ、及び給気ファン９１＿１１ｄが外気から給気するため、合計６７．５ｍ３／ｈであった。これに対し、給気量が低下し、給気ファン９１＿１１ａ、給気ファン９１＿１１ｂ、及び給気ファン９１＿１１ｄの合計量は合計４５ｍ３／ｈに低下する。１階の排気量はデフォルト設定のままであるため、外気からの給気量が低下した分の２２．５ｍ３／ｈが２階から１階のＬＤＫに供給される。
【０２６９】
また、暖房運転を実施しているＬＤＫの空調負荷の一部は、給気に伴って、外気から稼働中の室内機８１のある部屋に搬送される低温の空気である。そこで、本実施の形態７を用いれば、換気制御装置２１は、稼働中の室内機８１がある部屋に外気からの給気量を低減させることができる。
【０２７０】
よって、その低減された送風量に対応する空気が、外気温度と比べて高温である２階の空気が１階に給気されるため、換気制御装置２１は、稼働中の室内機８１のある部屋に外気からの給気に伴う暖房負荷を低減させることができる。
【０２７１】
したがって、換気制御装置２１は、稼働中の室内機８１を含む空調装置８０の必要運転容量を低減させるため、稼働中の室内機８１を含む空調装置８０の消費電力を低減させ、省エネ運転を実現させることができる。
【０２７２】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを実現させることができる。
【０２７３】
実施の形態８．
＜相違点の説明＞
実施の形態１〜実施の形態７との相違点は、換気運転中、家屋２階２３５で暖房運転が行われ、換気制御装置２１が、家屋１階２３３の室内温度と外気温度との比較を行うことが前提であって、家屋１階２３３の室内温度が外気温度と比べて低い場合、家屋１階２３３側に存在する温熱を家屋２階２３５側に移動させる制御を行う点にある。
【０２７４】
＜動作の説明＞
図３０は、本発明の実施の形態８における換気制御装置２１の制御例を説明するフローチャートである。図３１は、本発明の実施の形態８における１階に存在する温熱が特定の条件の場合に稼働中の室内機８１＿３を含む２階へ回収されるときの家屋２３１の排気量及び給気量の一例を示す図である。
【０２７５】
（ステップＳ１８１）
換気制御装置２１は、各階の室内機８１が稼働していないか否かを判定する。換気制御装置２１は、各階の室内機８１が稼働していない場合、ステップＳ１８２に進む。一方、換気制御装置２１は、各階の室内機８１が稼働している場合、ステップＳ１８３に進む。
【０２７６】
（ステップＳ１８２）
換気制御装置２１は、デフォルト設定で換気運転を行う。
【０２７７】
（ステップＳ１８３）
換気制御装置２１は、２階で室内機８１が稼働している部屋があるか否かを判定する。換気制御装置２１は、２階で室内機８１が稼働している部屋がある場合、ステップＳ１８４に進む。一方、換気制御装置２１は、２階で室内機８１が稼働している部屋がない場合、処理を終了する。
【０２７８】
（ステップＳ１８４）
換気制御装置２１は、２階で稼働している室内機８１が暖房運転中であるか否かを判定する。換気制御装置２１は、２階で稼働している室内機８１が暖房運転中である場合、ステップＳ１８５に進む。一方、換気制御装置２１は、２階で稼働している室内機８１が暖房運転中でない場合、処理を終了する。
【０２７９】
（ステップＳ１８５）
換気制御装置２１は、１階で室内機８１が稼働している部屋がないか否かを判定する。換気制御装置２１は、１階で室内機８１が稼働している部屋がない場合、ステップＳ１８６に進む。一方、換気制御装置２１は、１階で室内機８１が稼働している部屋がある場合、処理を終了する。
【０２８０】
（ステップＳ１８６）
換気制御装置２１は、１階の各部屋の温度を取得する。
【０２８１】
（ステップＳ１８７）
換気制御装置２１は、１階の各部屋の温度の平均温度を求める。
【０２８２】
（ステップＳ１８８）
換気制御装置２１は、外気温度を取得する。
【０２８３】
（ステップＳ１８９）
換気制御装置２１は、平均温度が外気温度と比べて高いか否かを判定する。換気制御装置２１は、平均温度が外気温度と比べて高い場合、ステップＳ１９０に進む。一方、換気制御装置２１は、平均温度が外気温度と比べて高くない場合、ステップＳ１９３に進む。
【０２８４】
（ステップＳ１９０）
換気制御装置２１は、１階の給排気量を制御する。具体的には、換気制御装置２１は、１階の給気量＞１階の排気量となるような目標制御量で１階の給気ファン９１＿１１及び１階の排気ファン１０１＿１１を制御する。つまり、換気制御装置２１は、１階の給気量から１階の排気量を差し引いた値が正となるように給気ファン９１＿１１及び排気ファン１０１＿１１を制御する。例えば、図３１に示すように、１階の給気ファン９１＿１１の送風量を増加させる。
【０２８５】
さらに具体的には、換気制御装置２１は、給気ファン９１＿１１ａ〜給気ファン９１＿１１ｄのそれぞれを２７．５ｍ３／ｈにさせ、家屋１階合計給気量を１１０ｍ３／ｈで運転させる。換気制御装置２１は、排気ファン１０１＿１１ａ〜排気ファン１０１＿１１ｃのそれぞれを３０ｍ３／ｈにさせ、家屋１階合計排気量を９０ｍ３／ｈで運転させる。なお、１階の排気量についてはデフォルト設定のままである。
【０２８６】
（ステップＳ１９１）
換気制御装置２１は、２階の給排気量を制御する。具体的には、換気制御装置２１は、２階の排気量＞２階の給気量となるような目標制御量で２階の給気ファン９１＿２１及び２階の排気ファン１０１＿２１を制御する。つまり、換気制御装置２１は、２階の排気量から２階の給気量を差し引いた値が正となるように排気ファン１０１＿２１及び給気ファン９１＿２１を制御する。例えば、図３１に示すように、２階の給気ファン９１＿２１の送風量を減少させる。
【０２８７】
さらに具体的には、換気制御装置２１は、給気ファン９１＿２１ａを２０ｍ３／ｈにさせ、給気ファン９１＿２１ｂ及び給気ファン９１＿２１ｃのそれぞれを１０ｍ３／ｈにさせ、家屋２階合計給気量を４０ｍ３／ｈで運転させる。換気制御装置２１は、排気ファン１０１＿２１ａ及び排気ファン１０１＿２１ｂのそれぞれを３０ｍ３／ｈにさせ、家屋２階合計排気量を６０ｍ３／ｈで運転させる。なお、２階の排気量についてはデフォルト設定のままである。
【０２８８】
（ステップＳ１９２）
換気制御装置２１は、住宅全体必要換気量を満たすか否かを判定する。換気制御装置２１は、住宅全体必要換気量を満たす場合、処理を終了する。一方、換気制御装置２１は、住宅全体必要換気量を満たさない場合、ステップＳ１９０に戻る。
【０２８９】
（ステップＳ１９３）
換気制御装置２１は、デフォルト設定で換気運転を行い、処理を終了する。
【０２９０】
以上の各ステップが実行された結果、２階は排気量＞給気量となり、１階は給気量＞排気量となるため、１階から２階への空気の流れが生じる。
【０２９１】
＜効果の説明＞
図３２は、本発明の実施の形態８における１階に存在する温熱が特定の条件の場合に稼働中の室内機８１＿３を含む２階へ回収されるときの空気の流れの一例を示す図である。図３２に示すように、２階では排気量が給気量に対し、２０ｍ３／ｈ多く、１階では給気量が排気量に対し２０ｍ３／ｈ多い。よって、１階と２階とを連通するダクト２５１を介して、１階から２階に２０ｍ３／ｈの空気が流れる。
【０２９２】
具体的には、２階の空気調和が行われている寝室に流入する給気量は、デフォルト設定では、給気ファン９１＿２１ａが外気から給気するため、３０ｍ３／ｈであった。これに対し、給気量が低下し、給気ファン９１＿２１ａの給気量は２０ｍ３／ｈに低下する。２階の排気量はデフォルト設定のままであるため、外気からの給気量が低下した分の１０ｍ３／ｈが１階から２階の寝室に供給される。
【０２９３】
また、暖房運転を実施している寝室の空調負荷の一部は、給気に伴い外気から稼働中の室内機８１のある部屋に搬送される低温の空気である。そこで、本実施の形態８を用いれば、換気制御装置２１は、稼働中の室内機８１がある部屋に外気からの給気量を低減させる。
【０２９４】
よって、その低減された送風量に対応する空気が、外気温度と比べて高温である１階の空気が２階に給気されるため、換気制御装置２１は、稼働中の室内機８１のある部屋に外気からの給気に伴う暖房負荷を低減させることができる。
【０２９５】
したがって、換気制御装置２１は、稼働中の室内機８１を含む空調装置８０の必要運転容量を低減させるため、稼働中の室内機８１を含む空調装置８０の消費電力を低減させ、省エネ運転を実現させることができる。
【０２９６】
上記構成のため、換気制御装置２１を含む制御装置１１は、換気運転時に外気に排気される冷熱又は温熱を回収させることができる。よって、制御装置１１は、常時換気を行いつつ、空調装置８０の運転時に生じる熱ロスを減少させることができる。したがって、制御装置１１は、常時換気を行いつつ、省エネを特に顕著に実現させることができる。
【符号の説明】
【０２９７】
１  換気空調連携システム、２  換気空調環境、１１  制御装置、２１  換気制御装置、２３  空調管理装置、２５  電力管理装置、２７  記憶装置、３１  搬送設備、３３  空調設備、３５  給気設備、３７  排気設備、３９  照明設備、５１、５１＿１〜５１＿Ｎ  搬送装置、５５、５５＿１〜５５＿Ｎ  給気装置、５７、５７＿１〜５７＿Ｎ  排気装置、７１、７１＿１〜７１＿Ｎ  搬送ファン、７３、７３＿１〜７３＿Ｎ  搬送ファン駆動部、８０、８０＿１〜８０＿Ｎ  空調装置、８１、８１＿１〜８１＿Ｎ  室内機、８３、８３＿１〜８３＿Ｎ  室外機、９１、９１＿１〜９１＿Ｎ、９１＿１１、９１＿１１ａ〜９１＿１１ｄ、９１＿２１、９１＿２１ａ〜９１＿２１ｃ  給気ファン、９３、９３＿１〜９３＿Ｎ  給気ファン駆動部、１０１、１０１＿１〜１０１＿Ｎ、１０１＿１１、１０１＿１１ａ〜１０１＿１１ｃ、１０１＿２１、１０１＿２１ａ、１０１＿２１ｂ  排気ファン、１０３、１０３＿１〜１０３＿Ｎ  排気ファン駆動部、１１１  冷媒配管、１２１、１２３  制御基板、１３１、１３３  室内外専用伝送線、１４１、１４５  温度センサー、１４３  湿度センサー、１５１、１５５  制御モジュール、１５３、１５７  伝送モジュール、１６１  圧縮機、１６２  四方切換弁、１６３、１６８  熱交換器、１６４、１６７  膨張弁、１６５  アキュムレーター、１６６、１６９  ファン、２０１  換気空間情報格納領域、２０３  空調空間情報格納領域、２１１  給気制御モジュール、２１３  排気制御モジュール、２１５  搬送制御モジュール、２１７  換気空間管理モジュール、２１９  空調空間管理モジュール、２２１  通信モジュール、２２３  換気統括制御モジュール、２３１  家屋、２３３  家屋１階、２３５  家屋２階、２５１  ダクト、２６１  ダンパ設備、２６２  給気口、２６３  排気口、２７１  ダンパ、２７２  ダンパ駆動部。
【図１】
2015087039.tif 000003
【図２】
2015087039.tif 000004
【図３】
2015087039.tif 000005
【図４】
2015087039.tif 000006
【図５】
2015087039.tif 000007
【図６】
2015087039.tif 000008
【図７】
2015087039.tif 000009
【図８】
2015087039.tif 000010
【図９】
2015087039.tif 000011
【図１０】
2015087039.tif 000012
【図１１】
2015087039.tif 000013
【図１２】
2015087039.tif 000014
【図１３】
2015087039.tif 000015
【図１４】
2015087039.tif 000016
【図１５】
2015087039.tif 000017
【図１６】
2015087039.tif 000018
【図１７】
2015087039.tif 000019
【図１８】
2015087039.tif 000020
【図１９】
2015087039.tif 000021
【図２０】
2015087039.tif 000022
【図２１】
2015087039.tif 000023
【図２２】
2015087039.tif 000024
【図２３】
2015087039.tif 000025
【図２４】
2015087039.tif 000026
【図２５】
2015087039.tif 000027
【図２６】
2015087039.tif 000028
【図２７】
2015087039.tif 000029
【図２８】
2015087039.tif 000030
【図２９】
2015087039.tif 000031
【図３０】
2015087039.tif 000032
【図３１】
2015087039.tif 000033
【図３２】
2015087039.tif 000034